(57)【要約】 【課題】  可変速再生において、再生方向が＋方向から−方向へ切り替えられた場合でも、画像を途切れさせることなく円滑な逆再生画を出力できるようにする。【解決手段】  １グループのＢ、Ｐ、Ｉ−ピクチャがＩ２，Ｂ０，Ｂ１，Ｐ５，Ｂ３，Ｂ４，Ｐ８，Ｂ６，Ｂ７，Ｐ１１，Ｂ９，Ｂ１０，Ｐ１４，Ｂ１２，Ｂ１３の構成順で記録されるＭＰＥＧストリームデータに関して、Ｂ、Ｐ、Ｉ−ピクチャの構成順がＩ２，Ｐ５，Ｂ３，Ｂ４，Ｐ８，Ｂ６，Ｂ７，Ｐ１１，Ｂ９，Ｂ１０，Ｐ１４，Ｂ１２，Ｂ１３，Ｉ２，Ｂ０，Ｂ１となるように１グループ化されたＭＰＥＧストリームデータをデコードして、Ｂ、Ｐ、Ｉ−ピクチャの構成順がＩ２，Ｂ３，Ｂ４，Ｐ５，Ｂ６，Ｂ７，Ｐ８，Ｂ９，Ｂ１０，Ｐ１１，Ｂ１２，Ｂ１３，Ｐ１４，Ｂ０，Ｂ１となる逆再生画を作成するようにしたものである。【選択図】        図５
2006303652.tif 000002
【特許請求の範囲】
【請求項１】
ＭＰＥＧストリームデータに関して、１グループのＢ−ピクチャ、Ｐ−ピクチャ及びＩ−ピクチャがＩ２，Ｂ０，Ｂ１，Ｐ５，Ｂ３，Ｂ４，Ｐ８，Ｂ６，Ｂ７，Ｐ１１，Ｂ９，Ｂ１０，Ｐ１４，Ｂ１２，Ｂ１３の構成順で記録されるデータ記憶装置と、
前記Ｂ−ピクチャ、Ｐ−ピクチャ及びＩ−ピクチャの構成順がＩ２，Ｐ５，Ｂ３，Ｂ４，Ｐ８，Ｂ６，Ｂ７，Ｐ１１，Ｂ９，Ｂ１０，Ｐ１４，Ｂ１２，Ｂ１３，Ｉ２，Ｂ０，Ｂ１となるように１グループ化してＭＰＥＧストリームデータを読み出すように前記データ記憶装置を制御する制御装置と、
前記制御装置によって読み出された前記１グループ化された前記ＭＰＥＧストリームデータに関して、前後のＰ−ピクチャ又はＩ−ピクチャからＢ−ピクチャを作成し、かつ、前のＰ−ピクチャ又はＩ−ピクチャからＰ−ピクチャを作成するようにデコードして、Ｂ−ピクチャ、Ｐ−ピクチャ及びＩ−ピクチャの構成順がＩ２，Ｂ３，Ｂ４，Ｐ５，Ｂ６，Ｂ７，Ｐ８，Ｂ９，Ｂ１０，Ｐ１１，Ｂ１２，Ｂ１３，Ｐ１４，Ｂ０，Ｂ１となる再生画をジョグメモリに格納し、ジョグメモリからの読み出し順を制御する情報記録再生装置とを備えることを特徴とする情報記録再生システム。
【請求項２】
１グループの前記Ｂ−ピクチャ、Ｐ−ピクチャ及びＩ−ピクチャがＩ２，Ｂ０，Ｂ１，Ｐ５，Ｂ３，Ｂ４，Ｐ８，Ｂ６，Ｂ７，Ｐ１１，Ｂ９，Ｂ１０，Ｐ１４，Ｂ１２，Ｂ１３から構成されるＭＰＥＧストリームデータにおいて、
前記制御装置は、
当該グループのピクチャＢ０及びＢ１に代えて、次のグループのピクチャＢ０及びＢ１を当該グループの構成に加えることを特徴とする請求項１に記載の情報記録再生システム。
【請求項３】
前記情報記録再生装置は、
前記ＭＰＥＧストリームデータに関して、前後のＰ−ピクチャ又はＩ−ピクチャからＢ−ピクチャを作成し、かつ、前のＰ−ピクチャ又はＩ−ピクチャからＰ−ピクチャを作成する第１及び第２のデコーダを備え、
前記第２のデコーダは、
前記第１のデコーダによる当該グループの前記Ｂ０のピクチャのデコード後、前記Ｂ１のピクチャのデコードと同時に次のグループのＩ２のピクチャのデコードを開始することを特徴とする請求項１に記載の情報記録再生システム。
【請求項４】
ＭＰＥＧストリームデータに関して、１グループのＢ−ピクチャ、Ｐ−ピクチャ及びＩ−ピクチャがＩ２，Ｂ０，Ｂ１，Ｐ５，Ｂ３，Ｂ４，Ｐ８，Ｂ６，Ｂ７，Ｐ１１，Ｂ９，Ｂ１０，Ｐ１４，Ｂ１２，Ｂ１３の構成順で記録されるデータ記憶部と、
前記Ｂ−ピクチャ、Ｐ−ピクチャ及びＩ−ピクチャの構成順がＩ２，Ｐ５，Ｂ３，Ｂ４，Ｐ８，Ｂ６，Ｂ７，Ｐ１１，Ｂ９，Ｂ１０，Ｐ１４，Ｂ１２，Ｂ１３，Ｉ２，Ｂ０，Ｂ１となるように１グループ化してＭＰＥＧストリームデータを読み出すように前記データ記憶部を制御する制御部と、
前記制御部によって読み出された前記１グループ化された前記ＭＰＥＧストリームデータに関して、前後のＰ−ピクチャ又はＩ−ピクチャからＢ−ピクチャを作成し、かつ、前のＰ−ピクチャ又はＩ−ピクチャからＰ−ピクチャを作成するようにデコードして、Ｂ−ピクチャ、Ｐ−ピクチャ及びＩ−ピクチャの構成順がＩ２，Ｂ３，Ｂ４，Ｐ５，Ｂ６，Ｂ７，Ｐ８，Ｂ９，Ｂ１０，Ｐ１１，Ｂ１２，Ｂ１３，Ｐ１４，Ｂ０，Ｂ１となる再生画をジョグメモリに格納し、ジョグメモリからの読み出し順を制御する情報記録再生部とを備えることを特徴とする情報記録再生装置。
【請求項５】
１グループの前記Ｂ−ピクチャ、Ｐ−ピクチャ及びＩ−ピクチャがＩ２，Ｂ０，Ｂ１，Ｐ５，Ｂ３，Ｂ４，Ｐ８，Ｂ６，Ｂ７，Ｐ１１，Ｂ９，Ｂ１０，Ｐ１４，Ｂ１２，Ｂ１３から構成されるＭＰＥＧストリームデータにおいて、
前記制御部は、
当該グループのピクチャＢ０及びＢ１に代えて、次のグループのピクチャＢ０及びＢ１を当該グループの構成に加えることを特徴とする請求項４に記載の情報記録再生装置。
【請求項６】
前記情報記録再生部は、
前記ＭＰＥＧストリームデータに関して、前後のＰ−ピクチャ又はＩ−ピクチャからＢ−ピクチャを作成し、かつ、前のＰ−ピクチャ又はＩ−ピクチャからＰ−ピクチャを作成する第１及び第２のデコーダを備え、
前記第２のデコーダは、
前記第１のデコーダによる当該グループの前記Ｂ０のピクチャのデコード後の前記Ｂ１のピクチャのデコード開始と同時に次のグループのＩ２のピクチャのデコードを開始することを特徴とする請求項４に記載の情報記録再生装置。
【請求項７】
前記第１及び第２のデコーダによってデコードされたデータを順次格納するジョグメモリを備え、
前記ジョグメモリには閾値が設定され、
前記第１及び第２のデコーダにおけるデコード開始タイミングを前記閾値に基づいて決定されることを特徴とする請求項６に記載の情報記録再生装置
【請求項８】
１グループのＢ−ピクチャ、Ｐ−ピクチャ及びＩ−ピクチャがＩ２，Ｂ０，Ｂ１，Ｐ５，Ｂ３，Ｂ４，Ｐ８，Ｂ６，Ｂ７，Ｐ１１，Ｂ９，Ｂ１０，Ｐ１４，Ｂ１２，Ｂ１３の構成順で記録されるＭＰＥＧストリームデータに関して、Ｂ−ピクチャ、Ｐ−ピクチャ及びＩ−ピクチャの構成順がＩ２，Ｐ５，Ｂ３，Ｂ４，Ｐ８，Ｂ６，Ｂ７，Ｐ１１，Ｂ９，Ｂ１０，Ｐ１４，Ｂ１２，Ｂ１３，Ｉ２，Ｂ０，Ｂ１となるように１グループ化し、
１グループ化された前記ＭＰＥＧストリームデータに関して、前後のＰ−ピクチャ又はＩ−ピクチャからＢ−ピクチャを作成し、かつ、前のＰ−ピクチャ又はＩ−ピクチャからＰ−ピクチャを作成するようにデコードして、Ｂ−ピクチャ、Ｐ−ピクチャ及びＩ−ピクチャの構成順がＩ２，Ｂ３，Ｂ４，Ｐ５，Ｂ６，Ｂ７，Ｐ８，Ｂ９，Ｂ１０，Ｐ１１，Ｂ１２，Ｂ１３，Ｐ１４，Ｂ０，Ｂ１となる再生画をジョグメモリに格納し、ジョグメモリからの読み出し順を制御することを特徴とする情報記録再生方法。
【請求項９】
１グループの前記Ｂ−ピクチャ、Ｐ−ピクチャ及びＩ−ピクチャがＩ２，Ｂ０，Ｂ１，Ｐ５，Ｂ３，Ｂ４，Ｐ８，Ｂ６，Ｂ７，Ｐ１１，Ｂ９，Ｂ１０，Ｐ１４，Ｂ１２，Ｂ１３から構成されるＭＰＥＧストリームデータにおいて、
当該グループのピクチャＢ０及びＢ１に代えて、次のグループのピクチャＢ０及びＢ１を当該グループの構成に加えることを特徴とする請求項８に記載の情報記録再生方法。
【請求項１０】
当該グループの前記Ｂ０のピクチャのデコード後、前記Ｂ１のピクチャのデコードと同時に次のグループのＩ２のピクチャのデコードを開始することを特徴とする請求項８に記載の情報記録再生方法。
【発明の詳細な説明】
【技術分野】
【０００１】
本発明は、オーディオ・ビデオ・ストリームデータをマイナス方向に再生する逆方向再生モードを備えたＡＶサーバーシステムに適用して好適な情報記録再生システム、情報記録再生装置及び情報記録再生方法に関する。
【０００２】
詳しくは、Ｂ，Ｐ，Ｉ−ピクチャの構成順がＩ２，Ｐ５，Ｂ３，Ｂ４，Ｐ８，Ｂ６，Ｂ７，Ｐ１１，Ｂ９，Ｂ１０，Ｐ１４，Ｂ１２，Ｂ１３，Ｉ２，Ｂ０，Ｂ１となるように１グループ化されたＭＰＥＧストリームデータをデコードし、Ｂ，Ｐ，Ｉ−ピクチャの構成順がＩ２，Ｂ３，Ｂ４，Ｐ５，Ｂ６，Ｂ７，Ｐ８，Ｂ９，Ｂ１０，Ｐ１１，Ｂ１２，Ｂ１３，Ｐ１４，Ｂ０，Ｂ１となる再生画をジョグメモリに格納して、ほぼ１グループのＭＰＥＧストリームデータから連続性を有した逆再生用の画像を高速に作成できるようにすると共に、ＭＰＥＧロングＧＯＰにおいて、−方向の１倍速再生と応答性の向上をジョグメモリからの読み出し順を制御することで実現できるようにしたものである。
【背景技術】
【０００３】
近年、放送局や映像及び音声情報配信システム等において、映像及び音声情報を編集処理する際にＡＶサーバーが使用される場合が多い。ＡＶサーバーは、データ記録再生装置や、データ記憶装置等を有している。データ記録再生装置では、データ記録時、映像及び音声情報をＭＰＥＧ等のデータ圧縮規格により符号化して圧縮される（エンコード処理）。符号化圧縮後の映像及び音声データには、ヘッダ情報等の付加情報が付加されてＭＰＥＧストリームデータとなされる。
【０００４】
データ再生時には、データ記憶装置からデータ記録再生装置へＭＰＥＧストリームデータが読み出され、当該ＭＰＥＧストリームデータを復号化して伸長するようになされる（デコード処理）。復号化伸長後の映像及び音声データは、映像及び音声情報となされる。映像及び音声情報は、モニタへ出力される。
【０００５】
この種のＡＶサーバーには、プラス方向への再生モードとマイナス方向への再生モードが具備される。プラス方向への再生モード（順方向再生モード）では映像が先に進んで行くようにモニタされる。これに対して、マイナス方向への再生モード（逆方向再生モード）では、映像が戻って行くようにモニタされる。このような再生モードは、ＭＰＥＧストリームデータの読出しとデコード処理を工夫することで実現される。
【０００６】
図９Ａ〜Ｃは、従来例に係る順方向再生モード時のＭＰＥＧストリームデータの作成例を示す図である。図９Ａに示すＥＮＣＩＮは、データ記録モード時にエンコーダに入力するＭＰＥＧストリームデータである。このＭＰＥＧストリームデータは、Ｂ−ピクチャ、Ｐ−ピクチャ及びＩ−ピクチャに関して、Ｂ０〜Ｐ１４までの１５枚が１つのＧＯＰ（Group of Picture）となされる。Ｂ−ピクチャは、前後のＰ−ピクチャ又はＩ−ピクチャから作成される。Ｐ−ピクチャは、前のＰ−ピクチャ又はＩ−ピクチャから作成される。ピクチャＢ０とＢ１は、前のＧＯＰのＰ１４と現在のＧＯＰのＩ２から作成される。このようにエンコード処理されたＭＰＥＧストリームデータに付加情報が付加されてデータ記憶装置に格納される。
【０００７】
データ再生時には、データ記憶装置からＭＰＥＧストリームデータが読み出され、付加情報が分離されて、ＭＰＥＧストリームデータからオーディオデータやビデオデータがデコードされる。図９Ｂに示すＤＥＣＩＮ（＝ＥＮＣOut）は、データ再生モード時に、デコーダに入力するＭＰＥＧストリームデータである。このＭＰＥＧストリームデータは、Ｂ−ピクチャ、Ｐ−ピクチャ及びＩ−ピクチャに関し、１ＧＯＰ（旧）のＢ−ピクチャ、Ｐ−ピクチャ及びＩ−ピクチャがＩ２，Ｂ０，Ｂ１，Ｐ５，Ｂ３，Ｂ４，Ｐ８，Ｂ６，Ｂ７，Ｐ１１，Ｂ９，Ｂ１０，Ｐ１４，Ｂ１２，Ｂ１３までの１５枚が１つのＧＯＰとなされる。これをデコード処理すると、図９Ｃに示すＤＥＣoutが得られる。Ｂ−ピクチャは、前後のＰ−ピクチャ又はＩ−ピクチャから作成される。Ｐ−ピクチャは、前のＰ−ピクチャ又はＩ−ピクチャから作成される。図９Ｃに示すＤＥＣoutにおいて、ピクチャＢ０とＢ１は、前のＧＯＰのピクチャＰ１４と現在のＧＯＰのピクチャＩ２から作成される。
【０００８】
これにならって、逆方向再生モードを実現すべく、ＭＰＥＧストリームデータからピクチャＢ０〜Ｐ１４までの画像を作成しようとすると、２ＧＯＰ分のデータが必要になる。これは、現在のＧＯＰの画像を作るためには、時間的に前のＧＯＰのピクチャＩ２から順に現在のＧＯＰのピクチャ”Ｂ１３”までをデコード処理し、そのデコード処理から得られるピクチャＰ１４を使用するためである。つまり、ＭＰＥＧストリームのピクチャ”Ｂ０”及び”Ｂ１”については、前のＧＯＰのピクチャＰ１４が無ければ、作成できないためである。
【発明の開示】
【発明が解決しようとする課題】
【０００９】
従来例に係るデータ情報記録再生装置によれば、ＭＰＥＧロングＧＯＰの逆方向再生モード時の１枚の画像を従来方式の順方向再生モードにならって作成しようとすると、目的の画像を作るために、前のＧＯＰと現在のＧＯＰとの計２ＧＯＰ（３０フレーム）分のデータをデコード処理しなければならない。
【００１０】
しかも、毎回、ＧＯＰの先頭から画像を作らなければ、目的の画像を作成することができなかった。従って、マイナス方向での１倍速再生が実現困難となっている。特に、可変速再生において、再生方向が＋方向から−方向へ切り替えられた場合に、画像が途切れてしまったり、円滑な逆再生画を得ることができていないのが現状である。
【００１１】
そこで、この発明はこのような従来の課題を解決したものであって、可変速再生において、再生方向が＋方向から−方向へ切り替えられた場合でも、画像を途切れさせることなく円滑な逆再生画を出力できるようにした情報記録再生システム、情報記録再生装置及び情報記録再生方法を提供することを目的とする。
【課題を解決するための手段】
【００１２】
上述した課題は、ＭＰＥＧストリームデータに関して、１グループのＢ−ピクチャ、Ｐ−ピクチャ及びＩ−ピクチャがＩ２，Ｂ０，Ｂ１，Ｐ５，Ｂ３，Ｂ４，Ｐ８，Ｂ６，Ｂ７，Ｐ１１，Ｂ９，Ｂ１０，Ｐ１４，Ｂ１２，Ｂ１３の構成順で記録されるデータ記憶装置と、Ｂ−ピクチャ、Ｐ−ピクチャ及びＩ−ピクチャの構成順がＩ２，Ｐ５，Ｂ３，Ｂ４，Ｐ８，Ｂ６，Ｂ７，Ｐ１１，Ｂ９，Ｂ１０，Ｐ１４，Ｂ１２，Ｂ１３，Ｉ２，Ｂ０，Ｂ１となるように１グループ化してＭＰＥＧストリームデータを読み出すようにデータ記憶装置を制御する制御装置と、この制御装置によって読み出された１グループ化されたＭＰＥＧストリームデータに関して、前後のＰ−ピクチャ又はＩ−ピクチャからＢ−ピクチャを作成し、かつ、前のＰ−ピクチャ又はＩ−ピクチャからＰ−ピクチャを作成するようにデコードして、Ｂ−ピクチャ、Ｐ−ピクチャ及びＩ−ピクチャの構成順がＩ２，Ｂ３，Ｂ４，Ｐ５，Ｂ６，Ｂ７，Ｐ８，Ｂ９，Ｂ１０，Ｐ１１，Ｂ１２，Ｂ１３，Ｐ１４，Ｂ０，Ｂ１となる再生画をジョグメモリに格納し、ジョグメモリからの読み出し順を制御する情報記録再生装置とを備えることを特徴とする情報記録再生システムによって解決される。
【００１３】
本発明に係る情報記録再生システムによれば、ＭＰＥＧストリームデータに関して、データ記憶装置には、１グループのＢ−ピクチャ、Ｐ−ピクチャ及びＩ−ピクチャがＩ２，Ｂ０，Ｂ１，Ｐ５，Ｂ３，Ｂ４，Ｐ８，Ｂ６，Ｂ７，Ｐ１１，Ｂ９，Ｂ１０，Ｐ１４，Ｂ１２，Ｂ１３の構成順で記録される。これを前提にして、制御装置は、Ｂ−ピクチャ、Ｐ−ピクチャ及びＩ−ピクチャの構成順がＩ２，Ｐ５，Ｂ３，Ｂ４，Ｐ８，Ｂ６，Ｂ７，Ｐ１１，Ｂ９，Ｂ１０，Ｐ１４，Ｂ１２，Ｂ１３，Ｉ２，Ｂ０，Ｂ１となるように１グループ化してＭＰＥＧストリームデータを読み出すようにデータ記憶装置を制御する。情報記録再生装置は、制御装置によって読み出された１グループ化されたＭＰＥＧストリームデータに関して、前後のＰ−ピクチャ又はＩ−ピクチャからＢ−ピクチャを作成し、かつ、前のＰ−ピクチャ又はＩ−ピクチャからＰ−ピクチャを作成するようにデコードする。
【００１４】
例えば、第２のデコーダでは、第１のデコーダによる当該グループのＢ０のピクチャのデコード後、Ｂ１のピクチャのデコードと同時に次のグループのＩ２のピクチャのデコードを開始する。そして、Ｂ−ピクチャ、Ｐ−ピクチャ及びＩ−ピクチャの構成順がＩ２，Ｂ３，Ｂ４，Ｐ５，Ｂ６，Ｂ７，Ｐ８，Ｂ９，Ｂ１０，Ｐ１１，Ｂ１２，Ｂ１３，Ｐ１４，Ｂ０，Ｂ１となる再生画をジョグメモリに格納するようになる。
【００１５】
従って、ほぼ１グループのＭＰＥＧストリームデータから連続性を有した逆再生用の画像を高速に作成し、ジョグメモリに格納することができる。これにより、ＭＰＥＧ  Ｌｏｎｇ  ＧＯＰにおいて、−方向の１倍速再生と応答性の向上が、ジョグメモリからの読み出し順を制御することで実現できるようになる。
【００１６】
本発明に係る情報記録再生装置は、ＭＰＥＧストリームデータに関して、１グループのＢ−ピクチャ、Ｐ−ピクチャ及びＩ−ピクチャがＩ２，Ｂ０，Ｂ１，Ｐ５，Ｂ３，Ｂ４，Ｐ８，Ｂ６，Ｂ７，Ｐ１１，Ｂ９，Ｂ１０，Ｐ１４，Ｂ１２，Ｂ１３の構成順で記録されるデータ記憶部と、Ｂ−ピクチャ、Ｐ−ピクチャ及びＩ−ピクチャの構成順がＩ２，Ｐ５，Ｂ３，Ｂ４，Ｐ８，Ｂ６，Ｂ７，Ｐ１１，Ｂ９，Ｂ１０，Ｐ１４，Ｂ１２，Ｂ１３，Ｉ２，Ｂ０，Ｂ１となるように１グループ化してＭＰＥＧストリームデータを読み出すようにデータ記憶部を制御する制御部と、この制御部によって読み出された１グループ化されたＭＰＥＧストリームデータに関して、前後のＰ−ピクチャ又はＩ−ピクチャからＢ−ピクチャを作成し、かつ、前のＰ−ピクチャ又はＩ−ピクチャからＰ−ピクチャを作成するようにデコードして、Ｂ−ピクチャ、Ｐ−ピクチャ及びＩ−ピクチャの構成順がＩ２，Ｂ３，Ｂ４，Ｐ５，Ｂ６，Ｂ７，Ｐ８，Ｂ９，Ｂ１０，Ｐ１１，Ｂ１２，Ｂ１３，Ｐ１４，Ｂ０，Ｂ１となる再生画をジョグメモリに格納し、ジョグメモリからの読み出し順を制御する情報記録再生部とを備えることを特徴とするものである。
【００１７】
本発明に係る情報記録再生装置によれば、ＭＰＥＧストリームデータに関して、データ記憶部には、１グループのＢ−ピクチャ、Ｐ−ピクチャ及びＩ−ピクチャがＩ２，Ｂ０，Ｂ１，Ｐ５，Ｂ３，Ｂ４，Ｐ８，Ｂ６，Ｂ７，Ｐ１１，Ｂ９，Ｂ１０，Ｐ１４，Ｂ１２，Ｂ１３の構成順で記録される。これを前提にして、制御部は、Ｂ−ピクチャ、Ｐ−ピクチャ及びＩ−ピクチャの構成順がＩ２，Ｐ５，Ｂ３，Ｂ４，Ｐ８，Ｂ６，Ｂ７，Ｐ１１，Ｂ９，Ｂ１０，Ｐ１４，Ｂ１２，Ｂ１３，Ｉ２，Ｂ０，Ｂ１となるように１グループ化してＭＰＥＧストリームデータを読み出すようにデータ記憶部を制御する。情報記録再生部は、制御部によって読み出された１グループ化されたＭＰＥＧストリームデータに関して、前後のＰ−ピクチャ又はＩ−ピクチャからＢ−ピクチャを作成し、かつ、前のＰ−ピクチャ又はＩ−ピクチャからＰ−ピクチャを作成するようにデコードして、Ｂ−ピクチャ、Ｐ−ピクチャ及びＩ−ピクチャの構成順がＩ２，Ｂ３，Ｂ４，Ｐ５，Ｂ６，Ｂ７，Ｐ８，Ｂ９，Ｂ１０，Ｐ１１，Ｂ１２，Ｂ１３，Ｐ１４，Ｂ０，Ｂ１となる再生画をジョグメモリに格納するようになる。
【００１８】
従って、ほぼ１グループのＭＰＥＧストリームデータから連続性を有した逆再生用の画像を高速に作成し、ジョグメモリに格納することができる。これにより、ＭＰＥＧ  Ｌｏｎｇ  ＧＯＰにおいて、−方向の１倍速再生と応答性の向上が、ジョグメモリからの読み出し順を制御することで実現できるようになる。
【００１９】
本発明に係る情報記録再生方法は、１グループのＢ−ピクチャ、Ｐ−ピクチャ及びＩ−ピクチャがＩ２，Ｂ０，Ｂ１，Ｐ５，Ｂ３，Ｂ４，Ｐ８，Ｂ６，Ｂ７，Ｐ１１，Ｂ９，Ｂ１０，Ｐ１４，Ｂ１２，Ｂ１３の構成順で記録されるＭＰＥＧストリームデータに関して、Ｂ−ピクチャ、Ｐ−ピクチャ及びＩ−ピクチャの構成順がＩ２，Ｐ５，Ｂ３，Ｂ４，Ｐ８，Ｂ６，Ｂ７，Ｐ１１，Ｂ９，Ｂ１０，Ｐ１４，Ｂ１２，Ｂ１３，Ｉ２，Ｂ０，Ｂ１となるように１グループ化し、ここで１グループ化されたＭＰＥＧストリームデータに関して、前後のＰ−ピクチャ又はＩ−ピクチャからＢ−ピクチャを作成し、かつ、前のＰ−ピクチャ又はＩ−ピクチャからＰ−ピクチャを作成するようにデコードして、Ｂ−ピクチャ、Ｐ−ピクチャ及びＩ−ピクチャの構成順がＩ２，Ｂ３，Ｂ４，Ｐ５，Ｂ６，Ｂ７，Ｐ８，Ｂ９，Ｂ１０，Ｐ１１，Ｂ１２，Ｂ１３，Ｐ１４，Ｂ０，Ｂ１となる再生画をジョグメモリに格納し、ジョグメモリからの読み出し順を制御することを特徴とするものである。
【００２０】
情報記録再生方法によれば、逆再生画を作成する場合に、ほぼ１グループのＭＰＥＧストリームデータから連続性を有した逆再生用の画像を高速に作成し、ジョグメモリに格納することができる。これにより、ジョグメモリの読み出し制御をすることにより、ＭＰＥＧロングＧＯＰにおいて、−方向の１倍速再生と応答性の向上を実現できるようになる。
【発明の効果】
【００２１】
本発明に係る情報記録再生システムによれば、１グループのＢ，Ｐ，Ｉ−ピクチャがＩ２，Ｂ０，Ｂ１，Ｐ５，Ｂ３，Ｂ４，Ｐ８，Ｂ６，Ｂ７，Ｐ１１，Ｂ９，Ｂ１０，Ｐ１４，Ｂ１２，Ｂ１３の構成順で記録されるデータ記憶装置を制御する制御装置によって読み出された、Ｂ，Ｐ，Ｉ−ピクチャの構成順がＩ２，Ｐ５，Ｂ３，Ｂ４，Ｐ８，Ｂ６，Ｂ７，Ｐ１１，Ｂ９，Ｂ１０，Ｐ１４，Ｂ１２，Ｂ１３，Ｉ２，Ｂ０，Ｂ１となるように１グループ化されたＭＰＥＧストリームデータをデコードする情報記録再生装置を備え、情報記録再生装置は、Ｂ，Ｐ，Ｉ−ピクチャの構成順がＩ２，Ｂ３，Ｂ４，Ｐ５，Ｂ６，Ｂ７，Ｐ８，Ｂ９，Ｂ１０，Ｐ１１，Ｂ１２，Ｂ１３，Ｐ１４，Ｂ０，Ｂ１となる再生画をジョグメモリに格納するように制御されるものである。
【００２２】
この構成によって、ほぼ１グループのＭＰＥＧストリームデータから連続性を有した逆再生用の画像を高速に作成し、ジョグメモリに格納することができる。従って、ジョグメモリの読み出し制御をすることにより、ＭＰＥＧロングＧＯＰにおいて、−方向の１倍速再生と応答性の向上を実現できるようになる。しかも、可変速再生において、再生方向が＋方向から−方向へ切り替えられた場合、またその逆でも、ジョグメモリに格納された画像を使い、画像を途切れさせることなく（スキップすることなく）、円滑な逆再生画を出力することができる。
【００２３】
本発明に係る情報記録再生装置及び情報記録再生方法によれば、１グループのＢ，Ｐ，Ｉ−ピクチャがＩ２，Ｂ０，Ｂ１，Ｐ５，Ｂ３，Ｂ４，Ｐ８，Ｂ６，Ｂ７，Ｐ１１，Ｂ９，Ｂ１０，Ｐ１４，Ｂ１２，Ｂ１３の構成順で記録されるデータ記憶部を制御する制御部によって読み出された、Ｂ，Ｐ，Ｉ−ピクチャの構成順がＩ２，Ｐ５，Ｂ３，Ｂ４，Ｐ８，Ｂ６，Ｂ７，Ｐ１１，Ｂ９，Ｂ１０，Ｐ１４，Ｂ１２，Ｂ１３，Ｉ２，Ｂ０，Ｂ１となるように１グループ化されたＭＰＥＧストリームデータをデコードする情報記録再生部を備え、情報記録再生部は、Ｂ，Ｐ，Ｉ−ピクチャの構成順がＩ２，Ｂ３，Ｂ４，Ｐ５，Ｂ６，Ｂ７，Ｐ８，Ｂ９，Ｂ１０，Ｐ１１，Ｂ１２，Ｂ１３，Ｐ１４，Ｂ０，Ｂ１となる再生画をジョグメモリに格納し、ジョグメモリからの読み出し順を制御されるものである。
【００２４】
この構成によって、ほぼ１グループのＭＰＥＧストリームデータから連続性を有した逆再生用の画像を高速に作成し、ジョグメモリに格納することができる。従って、ジョグメモリの読み出し制御をすることにより、ＭＰＥＧロングＧＯＰにおいて、−方向の１倍速再生と応答性の向上を実現できるようになる。しかも、可変速再生において、再生方向が＋方向から−方向へ切り替えられた場合またその逆でも、ジョグメモリに格納された画像を使い、画像を途切れさせることなく、円滑な逆再生画を出力することができる。
【発明を実施するための最良の形態】
【００２５】
続いて、この発明に係る情報記録再生システム、情報記録再生装置及び情報記録再生方法の一実施例について、図面を参照しながら説明をする。
【実施例１】
【００２６】
図１は本発明に係る第１の実施例としてのＡＶサーバーシステム１００の構成例を示すブロック図である。
図１に示すＡＶサーバーシステム１は情報記録再生システムの一例を構成し、放送局や映像及び音（音声及び音楽を含む）情報配信所において、オーディオ・ビデオ・ストリームデータ（ＡＶストリームデータ）をデータ記憶装置に書込み記録し、又は／及びＡＶストリームデータをそのデータ記憶装置から読み出して再生するものである。
【００２７】
ＡＶサーバーシステム１は、映像記録再生装置（以下ＡＶサーバー１００という）及び制御端末装置２００を有して構成される。ＡＶサーバー１００は、データ記録時、制御端末装置２００の記録制御を受けて、映像及び音素材情報を入力（ＡＶ入力）してエンコード処理する。エンコード処理後のデータには、付加情報が付加されて所定のデータフォーマットのストリームデータとなされる。このストリームデータは記録保持される。
【００２８】
また、ＡＶサーバー１００は、データ再生時、制御端末装置２００の再生制御を受けて、先に記録保持されている所定のデータフォーマットのストリームデータを読み出す。ここに読み出された所定のデータフォーマットのストリームデータはデコード処理される。デコード処理後、ジョグメモリに格納し、ジョグメモリからの読み出し順を制御してデータが出力（ＡＶ出力）される。なお、ＡＶサーバー１００は、ＨＵＢ４００を介してネットワーク５００に接続され、当該ネットワーク５００から、所定のデータフォーマットのＡＶストリームデータを入出力するように構成されている。これは、ネットワーク５００からのアクセス性を優先して、可能な限りＭＸＦファイルフォーマットやＡＶＩフォーマット等のファイルフォーマットデータをそのまま当該ＡＶＳサーバー１０で記録管理できるようにするためである。
【００２９】
図２は、ＡＶサーバー１００の内部構成例を示すブロック図である。図２に示すＡＶサーバー１００は、例えば、１台のファイルシステム（ファイルマネージャ）用のパーソナルコンピュータ（以下ＦＭパソコン８０という）、ネットワークインターフェース用のパソコン（以下ＮｅｔＩＦパソコン９０という）、４台のデータ記録再生装置１０１〜１０４と、４台のデータ記憶装置（以下ＲＡＩＤという）３０１〜３０４及び１台のファイバチャンネルスイッチ６０２とを有して構成される。
【００３０】
ＦＭパソコン８０は、例えば、イーサネット（登録商標）１９等のＬＡＮ（Local Area Network）を通じてＮｅｔＩＦパソコン９０及び４台のデータ記録再生装置１０１〜１０４に接続される。ＦＭパソコン８０は、当該ＡＶサーバー１００で取り扱うＡＶデータの付加情報（ファイル）を管理するようになされる。ＦＭパソコン８０は例えば、ＡＶデータに付加されたファイルヘッダ部やファイルフッタ部等に配置される情報をデータ記録再生装置１０１等経由して保持する。
【００３１】
ＮｅｔＩＦパソコン９０はネットワーク５００に接続され、例えば、汎用フォーマットのストリームデータをデータ供給系から入力し、当該ストリームデータから付加情報を切り離して保持管理する。汎用フォーマットのストリームデータは、オーディオデータ及びビデオデータから成るＡＶデータ及びその付加情報から構成される。付加情報は、ファイルヘッダ部やファイルフッタ部等である。例えば、ＮｅｔＩＦパソコン９０は、ネットワーク経由でデータ送受信を行う場合、ＦＭパソコン８０の情報に基づいてファイルヘッダ部やファイルフッタ部等の追加削除を実行する。この追加削除は、ネットワーク５００からの汎用フォーマットのストリームデータを円滑かつ適格に当該ＡＶサーバー１００で記録管理できるようにするためである。
【００３２】
また、各々のデータ記録再生装置１０１〜１０４は、光通信線（ファイバチャンネル）を介してファイバチャンネルスイッチ６０２が接続され、データの書込み読出し動作の高速化がなされている。ファイバチャンネルスイッチ６０２には４台のＲＡＩＤ３０１〜３０４が接続される。ＲＡＩＤ３０１〜３０４には、磁気ディスクや光磁気ディスク等の記録媒体等が使用される。
【００３３】
データ記録再生装置１０１は、データ記録時、制御端末装置２００の記録制御を受けて、映像及び音素材情報（ＳＤＩデータ；ＡＶ入力）を入力して所定の圧縮規格（ＭＰＥＧ等）により、ＳＤＩデータを符号化し圧縮処理（エンコード処理）する。ＳＤＩデータは、放送局や映像及び音声情報配信所で作成または編集されたＮＴＳＣ方式やＰＡＬ方式の映像及び音素材情報である。ＳＤＩデータを圧縮処理した後のＡＶデータには、付加情報が付加されて所定のデータフォーマットのＡＶストリームデータとなされる。ＡＶストリームデータは、ファイバチャンネルスイッチ６０２を介してＲＡＩＤ３０１、３０２、３０３又は３０４に記録される。
【００３４】
また、データ記録再生装置１０１は、データ再生時、制御端末装置２００の再生制御を受けて、ＲＡＩＤ３０１、３０２、３０３又は３０４から付加情報に基づく所定のデータフォーマットのＡＶストリームデータを読み出す。例えば、ＲＡＩＤ３０１から読み出された所定のデータフォーマットのＡＶストリームデータは、復号化され伸長処理（デコード処理）される。ＡＶデータをデコード処理した後のＳＤＩデータ（ＡＶ出力）は、例えば、映像表示装置や音声出力装置に出力される。
【００３５】
図３は、データ記録再生装置１０１の内部構成例を示すブロック図である。図３に示すデータ記録再生装置１０１は、１つのファイバチャネル入出力用の基板（以下ＦＣ入出力基板１１という）、３つのエンコーダ基板（以下ＥＮＣ基板３１〜３３という）、３つのデコーダ基板（以下ＤＥＣ基板４１〜４３という）、１つの記録再生制御基板１２を有して構成される。
【００３６】
記録再生制御基板１２は、ＣＰＵインターフェース（以下ＣＰＵＩ／Ｆ回路２１という）及びＣＰＵブロック２２を有して構成される。ＣＰＵブロック２２はメインＣＰＵ２３を有している。ＣＰＵ２３は、ＦＣ入出力基板１１に実装された回路やメモリを制御する。例えば、ＣＰＵ２３は、ＲＡＩＤ３０１上の書き込み領域をＦＭパソコン８０から取得して、ＦＣ入出力基板１１に実装されたバンクメモリ１４上で、予め確保したアドレスエリアにＡＶストリームデータが満たされた時点で、ＲＡＩＤ３０１へＡＶストリームデータを記録するようになされる。記録再生制御基板１２の図示しないＩ／Ｏポートには、ＡＶシリアルバックプレーン５３が接続される。ＡＶシリアルバックプレーン５３には、ＦＣ入出力基板１１が接続される。
【００３７】
ＦＣ入出力基板１１は、記録再生部を構成し、ファイバチャンネルインターフェース回路（以下ＦＣブロック１３という）、バンクメモリ１４、エンコーダ・デコーダインターフェース回路（以下バックプレーンブロック１５という）及びＦＣサブＣＰＵ１６を有している。ＦＣブロック１３はフィールドプログラマブルゲートアレイ（ＦＰＧＡ）から構成され、光信号処理機能を有している。例えば、ＦＣブロック１３には、ファイバチャンネルが接続され、ＡＶストリームデータによって変調される光信号が伝送される。
【００３８】
更に、ＦＣブロック１３には、図示しない光信号処理部が設けられ、ストリームデータに基づいて光信号処理する。ＦＣブロック１３には、バンクメモリ１４が接続され、１フレーム単位にＡＶストリームデータを記憶するようになされる。例えば、ＡＶストリームデータは、バンクメモリ１４の指定されたアドレスエリアに書き込まれる。アドレスエリアの情報は、ＡＶストリームデータに付加（重畳）されている。
【００３９】
ＡＶストリームデータは、この情報が示すアドレスエリアに転送される。これにより、バンクメモリ１４でＡＶストリームデータのバッファリング処理をすることができる。バンクメモリ１４にはハードディスク等が使用される。バンクメモリ１４にはバックプレーンブロック１５が接続される。バックプレーンブロック１５には、ＡＶシリアルバックプレーン５３が接続され、ＥＮＣ基板３１〜３３やＤＥＣ基板４１〜４５等のＩ／ＯポートとのＡＶストリームデータの送受信処理を実行する。
【００４０】
ＦＣ入出力基板１１には、ＦＰＧＡから構成されるローカルで、メインＣＰＵ２３に対して補助的なＣＰＵ（Ｎｉｏｓ；以下でＦＣサブＣＰＵ１６という：図中でＦＣＣＰＵと記す）が構築され、データ記録時、複数のＥＮＣ基板３１〜３３から送信されてくるＡＶストリームデータの転送先を調停する。ＦＣサブＣＰＵ１６は、メインＣＰＵ２３からの制御命令に基づいてバンクメモリ１４へのストリームデータの読み書きを制御したり、ファイバチャネルを通じてＲＡＩＤ３０１等へのアクセス制御を実行する。例えば、ＦＣサブＣＰＵ１６は、ＲＡＩＤ３０１において、ＡＶストリームデータを書込む領域に関する情報をメインＣＰＵ２３から受け付け、この情報に基づいて、ＦＣブロック１３を制御してバンクメモリ１４上のＡＶストリームデータをＲＡＩＤ３０１へと書き込むようになされる。
【００４１】
ＡＶシリアルバックプレーン５３には、ＥＮＣ基板３１〜３３及びＤＥＣ基板４１〜４５が接続される。１つのＥＮＣ基板３１には、ＳＤＩ入力ブロック３４、ＭＰＥＧエンコーダ３５、オーディオブロック３６、ＥＮＣサブＣＰＵ３８（図中でＥＮＣＣＰＵと記す）、ミニバンクメモリ３９及びパックブロック７０を有して構成される。
【００４２】
ＥＮＣ基板３１では、データ記録時、ＮＴＳＣ方式やＰＡＬ方式のオーディオ・ビデオ信号ＳＤＩを入力し、ＭＰＥＧ等の信号圧縮規格に基づいてＳＤＩ入力を符号化し圧縮処理（エンコード処理）する。圧縮後のオーディオ・ビデオデータは、付加情報が付加されてＡＶストリームデータとなる。ＥＮＣ基板３１は、１フレームのＡＶストリームデータがバンクメモリ１４に記憶される毎に、メインＣＰＵ２３の制御に基づいて、随時、ＦＣ入出力基板１１に対してＡＶストリームデータを送信する。このとき、制御端末装置２００からの制御信号が入力される。制御端末装置２００とＥＮＣ基板３１等とはＲＳ−４２２Ａの通信プロトコルに基づく通信ケーブルが使用される。
【００４３】
この例で、バンクメモリ１４上のどの位置にＡＶストリームデータを転送するかは、ＡＶストリームデータにその情報が付加（重畳）される。ＡＶストリームデータは、バンクメモリ１４の指定されたアドレスエリアに書き込まれる。他のＥＮＣ基板３２〜３３でも、同様にして、オーディオ・ビデオ信号ＳＤＩを入力してＡＶストリームデータを出力処理される。他のＥＮＣ基板３２〜３３についても同様な構成及び機能を有しているがその説明は省略する。
【００４４】
１つのＤＥＣ基板４１には、デパックブロック４４、ＭＰＥＧデコーダ４５、オーディオブロック４６、ジョグメモリ４７、ＳＤＩ出力ブロック４８及びＤＥＣサブＣＰＵ４９（図中でＤＥＣＣＰＵと記す）を有して構成される。
【００４５】
ＤＥＣ基板４１では、データ再生時、バンクメモリ１４からＡＶストリームデータをデパックブロック４４に入力する。デパックブロック４４では、ＡＶストリームデータから付加情報が分離される。付加情報が分離されたＭＰＥＧストリームデータは、ＭＰＥＧデコーダ４５及びオーディオブロック４６に各々出力される。ＭＰＥＧデコーダ４５では、ＭＰＥＧストリームデータを所定のＭＰＥＧ規格に基づいて復号化し伸長処理（デコード処理）してビデオデータが出力される。オーディオブロック４６では、ＭＰＥＧストリームデータをデコード処理してオーディオデータが出力される。
【００４６】
ジョグメモリ４７には、デパック・デコード処理後のオーディオ・ビデオデータが蓄積される。ジョグメモリ４７は、リンク機能を使用してフレーム単位にデコード系に結び付けたり、そこから切り離したりできるようになっている。ジョグメモリ４７は、連続したフレームではなく、個々のフレームをリンクして連続したイメージを再生できるようになされている。
【００４７】
この例で、ジョグメモリ４７には、データ量判別用の閾値が設定され、デパック・デコード処理後のオーディオ・ビデオデータの蓄積量と閾値とが比較される。蓄積量が閾値以下になると、次のＧＯＰのデパック・デコード処理をするようにＤＥＣサブＣＰＵ４９はＤＥＣ基板４１及び４２を制御する。
【００４８】
デコード処理後のオーディオ・ビデオデータはＳＤＩデータとなる。ＳＤＩデータは、ジョグメモリ４７からＳＤＩ出力ブロック４８を通じて、例えば、映像表示装置や音声出力装置に出力される。この例で、ジョグメモリ４７と２つのＤＥＣ基板４１，４２を使用して、映像を円滑かつ連続性良くマイナス再生をするようになされる。
【００４９】
なお、ＤＥＣ基板４１には制御端末装置２００からの制御信号が入力される。制御端末装置２００とＤＥＣ基板４１等とはＲＳ−４２２Ａの通信プロトコルに基づく通信ケーブルが使用される。他のＤＥＣ基板４２、４３でも、同様にして、ＡＶストリームデータを入力してオーディオ・ビデオ信号ＳＤＩを出力するように処理される。他のＤＥＣ基板４２、４３についても同様な構成及び機能を有しているがその説明は省略する。
【００５０】
上述のＡＶシリアルバックプレーン５３内には、ＣＰＵバス２９が設けられる。ＣＰＵバス２９には、ＦＣサブＣＰＵ１６、メインＣＰＵ２３、各基板３１〜３３のＥＮＣサブＣＰＵ３８、各基板４１〜４３のＤＥＣサブＣＰＵ４９及びＲＥＦ入力基板５０が接続される。ＲＥＦ入力基板５０は、ＴＧブロック５１及びＬＴＳサブＣＰＵ５２（図中ＬＴＳＣＰＵと記す）を有して構成される。ＴＧブロック５１には、ＲＥＦ信号（フレーム同期信号）が入力され、ＬＴＳサブＣＰＵ５２の制御を受けて、各基板１１，１２，３１〜３３、４１〜４３等にＲＥＦ信号を供給するようになされる。ＬＴＳサブＣＰＵ５２は、イーサネット（登録商標）１９を通じてＦＭパソコン８０やＮｅｔＩＦパソコン９０、また、ＣＰＵバス２９に接続され、これらのパソコン８０，９０やメインＣＰＵ２３等と通信処理をするようになされる。他のデータ記録再生装置１０２〜１０４も同様な構成を採るが、その説明は省略する。
【００５１】
図４は、ＭＸＦファイルのデータ構造例を示すフォーマットである。図４に示すＭＸＦファイルのデータ構造は、ＡＶ多重データフォーマットに適しており、本発明に係るＡＶサーバーシステム１で適用される例である。ＭＸＦファイルのデータ構造例によれば、ＡＶストリームデータは、ファイルヘッダ部、ファイルボディ部及びファイルフッタ部から構成され、階層構造を採る。
【００５２】
ファイルボディ部には、ＡＶデータであるビデオデータとオーディオデータとが、例えば、６０（ＮＴＳＣの場合）フレーム単位で多重化されて配置されている。さらに、ＭＸＦファイルは、プラットフォームに依存せず、様々な記録形式に対応し、拡張性があるソフトウェアであるＱＴ（Quick Time）（商標）に対応している。
【００５３】
ファイルヘッダ部には、ＭＸＦの規格に準拠したボディ部に配置されたビデオデータとオーディオデータを、ＱＴで再生、編集するために必要な情報が配置されている。ファイルヘッダ部には、その先頭から、ランイン（Run In）、ヘッダパーティションパック（Header partition pack）、ヘッダメタデータ（Header Metadata）からなるＭＸＦヘッダ（ＭＸＦ Header）が順次配置される。
【００５４】
ランインは、１１バイトのパターンが合えば、ＭＸＦヘッダが始まることを解釈するためのオプションである。ランインは、最大６４キロバイトまで確保することができるが、例えば、８バイトとされる。ランインには、ＭＸＦヘッダの１１バイトのパターン以外のものであれば、何を配置してもよい。
【００５５】
ヘッダパーティションパックには、ファイルヘッダ部を特定するための１１バイトのパターンや、ファイルボディ部に配置されるデータの形式、ファイルフォーマットを表す情報などが配置される。ヘッダメタデータには、ファイルボディ部に配置されたＡＶデータを読み出すために必要な情報などが配置される。
【００５６】
ファイルボディ部は、ゼネリックコンテナ（ＧＣ：Generic Container）又はエッセンスコンテナ（Essence Container）で構成され、ＧＣコンテナには、パーテーションパック（ＰＰ）、インデックステーブル（Index Table）やエディットユニット（Edit Unite）等が配置される。エディットユニットはフレーム単位に第１〜第１０フレームが配置される。ファイルフッタ部には、フッターポーションパック及びランダムインデックスパックが配置される。
【００５７】
エディットユニットの１フレームには、ＡＶデータが、例えば、６０（ＮＴＳＣの場合）フレーム単位で多重化されて配置されている。この階層には、システムアイテム（System Item）、ピクチャアイテム（Picture Item）、サウンドアイテム（Sound item）、その他（補助）のアイテム（Auxiliary）が配置される。システムアイテムには、ローカルタイムコード（ＬＴＣ）、ＵＭＩＤ、エッセンスマーク（Essence Mark）が記述される。
【００５８】
サウンドアイテムは、例えば、４ブロックが配置される。ピクチャアイテムにおいて、その下位階層には、Ｋ，Ｌ、ＩorＰorＢピクチャー（ＭＰＥＧ  ＥＳ）が配置される。その後段にキー（Ｋ）、データ長（Ｌ）、そしてフィラー（Filler）が配置される。サウンドアイテムにおいて、その下位階層には、Ｋ，Ｌ、１ｃｈ  ＡＥＳ３  エレメントが配置される。その後段にＫ、Ｌ、そしてフィラーが配置される。
【００５９】
ファイルフッタ部は、フッタパーティションパック（Footer partition pack）で構成され、フッタパーティションパックには、ファイルフッタ部を特定するためのデータなどが配置される。以上のように構成されたＭＸＦファイルが与えられた場合、ＭＸＦの規格に準拠したデータ記録再生装置１００は、まず、ヘッダパーティションパックの１１バイトのパターンを読み出すことにより、ＭＸＦヘッダを求める。そして、ＭＸＦヘッダのヘッダメタデータに基づいて、ＧＣコンテナに配置されたＡＶデータを読み出すことができる。
【００６０】
図５Ａ及びＢは、マイナス再生時のＭＰＥＧストリームデータのグルーピング例を示す図である。
この実施例では、現在のＧＯＰの画像を作るために、従来方式では、前のＧＯＰをデコードしなければ、デコード処理ができなかった、現在のＧＯＰのピクチャ”Ｂ０”と”Ｂ１”をデコード処理の対象から外す（抜かす）し、その代わりに、時間的に次のＧＯＰのピクチャ”Ｂ０”と”Ｂ１”を使用してＧＯＰ＋αを順にデコード処理することで、連続性を有するピクチャ”Ｉ２”から”Ｂ１”までの１５枚の逆再生像を作成し、ジョグメモリに格納できるようにした。
【００６１】
図５Ａに示すＤＥＣinは、データ再生時、バンクメモリ（データ記憶部）１４から、例えば、ＤＥＣ基板４１に入力されるＭＰＥＧストリームデータである。このＭＰＥＧストリームデータは、先に、ＲＡＩＤ３０１からバンクメモリ１４へ、１グループのＢ−ピクチャ、Ｐ−ピクチャ及びＩ−ピクチャがＩ２，Ｂ０，Ｂ１，Ｐ５，Ｂ３，Ｂ４，Ｐ８，Ｂ６，Ｂ７，Ｐ１１，Ｂ９，Ｂ１０，Ｐ１４，Ｂ１２，Ｂ１３となる構成順で読み出していたものである。
【００６２】
この例で、制御装置の一例を構成するメインＣＰＵ２３は、データ再生時、Ｂ−ピクチャ、Ｐ−ピクチャ及びＩ−ピクチャの構成順が図５Ａに示すように、Ｉ２，Ｐ５，Ｂ３，Ｂ４，Ｐ８，Ｂ６，Ｂ７，Ｐ１１，Ｂ９，Ｂ１０，Ｐ１４，Ｂ１２，Ｂ１３，Ｉ２，Ｂ０，Ｂ１となるように１グループ化する。このとき、メインＣＰＵ２３は、当該グループのピクチャＢ０及びＢ１に代えて、時間的に次のグループのピクチャＩ２，Ｂ０及びＢ１を当該グループの構成に加える。
【００６３】
つまり、新たなグループ化をするためにメインＣＰＵ２３は、当該グループのＢ−ピクチャに関して、Ｂ０，Ｂ１を除き、他のＢ−ピクチャ、Ｐ−ピクチャ及びＩ−ピクチャに関してＩ２，Ｐ５，Ｂ３，Ｂ４，Ｐ８，Ｂ６，Ｂ７，Ｐ１１，Ｂ９，Ｂ１０，Ｐ１４，Ｂ１２，Ｂ１３の構成順でバンクメモリ１４からＤＥＣ基板４１へ入力し、かつ、時間的に次のグループのピクチャＩ２，Ｂ０，Ｂ１を入力するようにＤＥＣサブＣＰＵ２３を制御する。
【００６４】
このＤＥＣサブＣＰＵ２３によって読み出された１グループ化されたＭＰＥＧストリームデータに関して、ＤＥＣ基板４１は、前後のＰ−ピクチャ又はＩ−ピクチャからＢ−ピクチャを作成し、かつ、前のＰ−ピクチャ又はＩ−ピクチャからＰ−ピクチャを作成するようにデコードする。そして、ＤＥＣ基板４１は、図５Ｂに示すようなデコーダ出力ＤＥＣoutとして、Ｂ−ピクチャ、Ｐ−ピクチャ及びＩ−ピクチャの構成順がＩ２，Ｂ３，Ｂ４，Ｐ５，Ｂ６，Ｂ７，Ｐ８，Ｂ９，Ｂ１０，Ｐ１１，Ｂ１２，Ｂ１３，Ｐ１４，Ｂ０，Ｂ１となる再生画をジョグメモリに格納するようになる。このように、次のＧＯＰのピクチャＢ０とＢ１について、現在のＧＯＰを使用することにより、約１ＧＯＰ分のデータだけＧＯＰの画を作成できるようになる。
【００６５】
図６Ａ〜Ｅは、ＤＥＣ基板４１，４２におけるデコード開始タイミング例を示す図である。
図６Ａに示すＭＰＥＧストリームデータにおいて、マイナス方向の再生モードでは、右矢印の方向にデータがデコード処理され、左矢印の方向にデータが再生される。これを前提して、データ記録再生装置１０１では、図６Ｂに示す現在のＧＯＰのＭＰＥＧストリームデータＩ２，Ｐ５，Ｂ３，Ｂ４，Ｐ８，Ｂ６，Ｂ７，Ｐ１１，Ｂ９，Ｂ１０，Ｐ１４，Ｂ１２，Ｂ１３，Ｉ２，Ｂ０，Ｂ１がバンクメモリ１４からＤＥＣ基板４１に転送される。ＤＥＣ基板４１では、ＭＰＥＧストリームデータに関して、前後のＰ−ピクチャ又はＩ−ピクチャからＢ−ピクチャを作成し、かつ、前のＰ−ピクチャ又はＩ−ピクチャからＰ−ピクチャを作成するようになされる。これにより、図６Ｃに示すデパック・デコード処理後のデータＩ２，Ｂ３，Ｂ４，Ｐ５，Ｂ６，Ｂ７，Ｐ８，Ｂ９，Ｂ１０，Ｐ１１，Ｂ１２，Ｂ１３，Ｐ１４，Ｂ０，Ｂ１がジョグメモリ４７に蓄積される。
【００６６】
この例では、ＤＥＣ基板４１が最後尾のピクチャＢ１をデコード処理したときに、ＤＥＣ基板４２は、図６Ｄに示すＭＰＥＧストリームデータＩ２，Ｐ５，Ｂ３，Ｂ４，Ｐ８，Ｂ６，Ｂ７，Ｐ１１，Ｂ９，Ｂ１０，Ｐ１４，Ｂ１２，Ｂ１３，Ｉ２，Ｂ０，Ｂ１がバンクメモリ１４から転送され、デコード処理を開始する。つまり、ＤＥＣ基板４２は、ＤＥＣ基板４１による当該グループのＢ０のピクチャのデコード後、Ｂ１のピクチャのデコードと同時に次のグループのＩ２のピクチャのデコードを開始する。これは、−１倍速で画像を再生している場合に、１つのデコーダで順に作成していると、再生が間に合わなくなるので、１つ目のＤＥＣ基板４１のデコード済みデータ量がジョグメモリ４７における閾値を越えたら、２つ目のＤＥＣ基板４２を使用して次のＧＯＰをデコード処理するようになされる。この部分が重なるためデコーダが２個必要になる。
【００６７】
ＤＥＣ基板４２は、ＤＥＣ基板４１と同様にして、前後のＰ−ピクチャ又はＩ−ピクチャからＢ−ピクチャを作成し、かつ、前のＰ−ピクチャ又はＩ−ピクチャからＰ−ピクチャを作成するようになされる。これにより、図６Ｅに示すデパック・デコード処理後のデータＩ２，Ｂ３，Ｂ４，Ｐ５，Ｂ６，Ｂ７，Ｐ８，Ｂ９，Ｂ１０，Ｐ１１，Ｂ１２，Ｂ１３，Ｐ１４，Ｂ０，Ｂ１がジョグメモリ４７に蓄積される。
【００６８】
図７Ａ及びＢは、ジョグメモリ４７内のデータ蓄積量の遷移例を示す図である。図７Ａ及びＢにおいて、ジョグメモリ４７には閾値Ｖthが設定される。図中、縦の黒バーは、ＡＶデータの減り具合を示すカーソルである。この例で、マイナス方向再生に対して、黒バーは、右側から左側に移動して行く。図７Ａは、例えば、時刻ｔ１におけるジョグメモリ４７のデータ蓄積状態を示している。図７Ａでは、閾値Ｖthに対して黒バーが右側に存在するので、２つ目のデコーダは動作を停止してよい。
【００６９】
時間が経過して、時刻ｔ２になって、図７Ｂに示すように閾値Ｖth以下に黒バーが移動したときに、例えば、ＤＥＣ基板４１がデコード処理中であっても、次のＧＯＰのＭＰＥＧストリームデータＩ２，Ｐ５，Ｂ３，Ｂ４，Ｐ８，Ｂ６，Ｂ７，Ｐ１１，Ｂ９，Ｂ１０，Ｐ１４，Ｂ１２，Ｂ１３，Ｉ２，Ｂ０，Ｂ１をバンクメモリ１４からＤＥＣ基板４２に転送してデコード処理を開始するようになされる。これは映像や音の連続性、応答性及び円滑性を良くするためである。
【００７０】
続いて、本発明に係る情報記録再生方法について説明をする。図８は、データ記録再生装置１００におけるマイナス（逆）再生時の動作例を示すフローチャートである。
【００７１】
この実施例では、再生モードに関してマイナス方向の再生モード（以下逆方向再生モードという）及びプラス方向への再生モード（順方向再生モード）が選択可能となされている。また、１グループのＢ−ピクチャ、Ｐ−ピクチャ及びＩ−ピクチャがＩ２，Ｂ０，Ｂ１，Ｐ５，Ｂ３，Ｂ４，Ｐ８，Ｂ６，Ｂ７，Ｐ１１，Ｂ９，Ｂ１０，Ｐ１４，Ｂ１２，Ｂ１３から構成されるＭＰＥＧストリームデータにおいて、当該グループのピクチャＢ０及びＢ１に代えて、時間的に次のグループのピクチャＢ０及びＢ１を当該グループの構成に加える。また、当該グループのＢ０のピクチャのデコード後、Ｂ１のピクチャのデコードと同時に次のグループのＩ２のピクチャのデコードを開始する。
【００７２】
これらを動作条件にして、図８に示すフローチャートのステップＡ１で再生モードを設定する。再生モードの設定は、例えば、制御端末装置２００から再生モード設定用の制御信号をデータ記録再生装置１０１に供給される。
【００７３】
次に、ステップＡ２に移行して、メインＣＰＵ２３は再生モードによって制御を分岐する。この例で、逆方向再生モードが選択された場合は、ステップＡ３に移行してメインＣＰＵ２３は、ＧＯＰの新しいグループ化を実行する。このとき、メインＣＰＵ２３は、Ｂ−ピクチャ、Ｐ−ピクチャ及びＩ−ピクチャの構成順が図５Ｂに示したように、Ｉ２，Ｐ５，Ｂ３，Ｂ４，Ｐ８，Ｂ６，Ｂ７，Ｐ１１，Ｂ９，Ｂ１０，Ｐ１４，Ｂ１２，Ｂ１３，Ｉ２，Ｂ０，Ｂ１となるように１グループ化する。この新たなグループ化は、当該グループのＢ−ピクチャに関して、Ｂ０，Ｂ１を除き、他のＢ−ピクチャ、Ｐ−ピクチャ及びＩ−ピクチャに関してＩ２，Ｐ５，Ｂ３，Ｂ４，Ｐ８，Ｂ６，Ｂ７，Ｐ１１，Ｂ９，Ｂ１０，Ｐ１４，Ｂ１２，Ｂ１３の構成順でバンクメモリ１４からＤＥＣ基板４１へ入力し、かつ、時間的に次のグループのピクチャＩ２，Ｂ０，Ｂ１を加えて入力することで得られる。
【００７４】
その後、ステップＡ４及びステップＡ５に移行する。ステップＡ４〜９はＤＥＣ基板４１の第１のデコーダ（以下ＤＥＣ＃１ともいう）における動作である。ステップＡ１０〜１５はＤＥＣ基板４１の第２のデコーダ（以下ＤＥＣ＃２ともいう）における動作である。基本的に交互に動作するようになるが、一部同時に動作する時間帯がある。
【００７５】
ステップＡ４ではＤＥＣ基板４１はＤＥＣ＃１起動命令を待機する。ＤＥＣ＃１起動命令が有った場合は、ステップＡ５に移行してデコード処理を実行する。このとき、メインＣＰＵ２３は、バンクメモリ１４からＤＥＣ基板４１に、上述の構成順にＭＰＥＧストリームデータを読み出すようにＤＥＣサブＣＰＵ４９を制御する。メインＣＰＵ２３は、当該グループのピクチャＢ０及びＢ１に代えて、時間的に次のグループのピクチャＩ２、Ｂ０及びＢ１を当該グループの構成に加えるようになされる。
【００７６】
ＤＥＣ基板４１では、ここに１グループ化されたＭＰＥＧストリームデータに関して、前後のＰ−ピクチャ又はＩ−ピクチャからＢ−ピクチャを作成し、かつ、前のＰ−ピクチャ又はＩ−ピクチャからＰ−ピクチャを作成するようにデコードして、Ｂ−ピクチャ、Ｐ−ピクチャ及びＩ−ピクチャの構成順がＩ２，Ｂ３，Ｂ４，Ｐ５，Ｂ６，Ｂ７，Ｐ８，Ｂ９，Ｂ１０，Ｐ１１，Ｂ１２，Ｂ１３，Ｐ１４，Ｂ０，Ｂ１となる逆再生画を作成する（図５ＢのＤＥＣout参照）。デコード処理後のデータはステップＡ６でジョグメモリ４７に蓄積される。そして、ジョグメモリ４７ではステップＡ７で映像表示装置や音声出力装置にＳＤＩデータを出力するようになされる。
【００７７】
一方、これに並行して、ジョグメモリ４７では、ステップＡ８でデータ蓄積量が監視される。データ蓄積量が閾値以下になった場合に、ステップＡ９に移行してＤＥＣ基板４２を起動するトリガ（ＤＥＣ＃２起動命令）がＤＥＣ基板４２へ出力される。なお、１ＧＯＰのデコード処理を終了した時点で、ＤＥＣ基板４１はデコード処理を休止して次のＤＥＣ＃１起動命令を待機する。
【００７８】
この例で、ＤＥＣ基板４１は、ステップＡ１０でＤＥＣ＃２起動命令を待機しているので、ステップＡ９からのＤＥＣ＃２起動命令を受けると、ステップＡ１１に移行してデコード処理を開始する。デコード処理後の図５ＢのＤＥＣoutに示したようなデータは、ステップＡ１２でジョグメモリ４７に蓄積される。そして、ジョグメモリ４７ではステップＡ１３で映像表示装置や音声出力装置にＳＤＩデータを出力するようになされる。
【００７９】
一方、これに並行して、ジョグメモリ４７ではステップＡ１４でデータ蓄積量が監視される。データ蓄積量が閾値以下になった場合に、ステップＡ１５に移行してＤＥＣ基板４１の第１のデコーダを起動するトリガ（ＤＥＣ＃１起動命令）がＤＥＣ基板４１の第１のデコーダへ出力される。なお、１ＧＯＰのデコード処理を終了した時点で、ＤＥＣ基板４１の第２のデコーダは、デコード処理を休止して次のＤＥＣ＃２起動命令を待機する。このように、ＤＥＣ基板４１の第１のデコーダとＤＥＣ基板４１の第２のデコーダとが交互（トグル形式）に動作し、一部同時に動作する時間帯を含めて、逆再生モードを実行する。なお、ステップＡ２で順方向再生モードが選択された場合は、ステップＡ１６に移行してＤＥＣ基板４１の第１のデコーダ及びＤＥＣ基板４１の第２のデコーダは、従来方式と同様な方法でプラス方向の再生処理を実行する。
【００８０】
このように、実施例としてのＡＶサーバーシステム１によれば、データ記憶再生装置１０１及び情報記録再生方法が応用され、メインＣＰＵ２３は、Ｂ−ピクチャ、Ｐ−ピクチャ及びＩ−ピクチャの構成順がＩ２，Ｐ５，Ｂ３，Ｂ４，Ｐ８，Ｂ６，Ｂ７，Ｐ１１，Ｂ９，Ｂ１０，Ｐ１４，Ｂ１２，Ｂ１３，Ｉ２，Ｂ０，Ｂ１となるように１グループ化してＭＰＥＧストリームデータをバンクメモリ１４から読み出すように制御する。
【００８１】
ＤＥＣ基板４１は、ＤＥＣサブＣＰＵ４９によって読み出され、１グループ化されたＭＰＥＧストリームデータに関して、前後のＰ−ピクチャ又はＩ−ピクチャからＢ−ピクチャを作成し、かつ、前のＰ−ピクチャ又はＩ−ピクチャからＰ−ピクチャを作成するようにデコードして、Ｂ−ピクチャ、Ｐ−ピクチャ及びＩ−ピクチャの構成順がＩ２，Ｂ３，Ｂ４，Ｐ５，Ｂ６，Ｂ７，Ｐ８，Ｂ９，Ｂ１０，Ｐ１１，Ｂ１２，Ｂ１３，Ｐ１４，Ｂ０，Ｂ１となる再生画をジョグメモリに格納し、ジョグメモリからの読み出し順を制御するようになる。
【００８２】
従って、ほぼ１グループのＭＰＥＧストリームデータから連続性を有した逆再生用の画像を高速に作成できる。これにより、ＭＰＥＧロングＧＯＰにおいて、−方向の１倍速再生を実現できるようになる。しかも、可変速再生において、再生方向が＋方向から−方向へ切り替えられた場合また、逆の場合でも、ジョグメモリに格納された画像を使い、画像を途切れさせることなく（スキップすることなく）、円滑な再生画を出力することができる。
【００８３】
また、ＤＥＣ基板４１の第１のデコーダ及び第２のデコーダでデコード処理された再生画をジョグメモリ４７で読出することで、ＭＰＥＧロングＧＯＰでの−方向の１倍再生時の応答性を向上させることが可能となった。
【産業上の利用可能性】
【００８４】
この発明は、オーディオ・ビデオ・ストリームデータをマイナス方向に再生する逆方向再生モードを備えたＡＶサーバーシステムに適用して極めて好適である。
【図面の簡単な説明】
【００８５】
【図１】本発明に係る実施例としてのＡＶサーバーシステム１００の構成例を示すブロック図である。
【図２】ＡＶサーバー１００の内部構成例を示すブロック図である。
【図３】データ記録再生装置１０１の内部構成例を示すブロック図である。
【図４】ＭＸＦファイルのデータ構造例を示すフォーマットである。
【図５】（Ａ）及び（Ｂ）は、マイナス再生時のＭＰＥＧストリームデータのグルーピング例を示す図である。
【図６】（Ａ）〜（Ｅ）は、ＤＥＣ基板４１，４２におけるデコード開始タイミング例を示す図である。
【図７】（Ａ）及び（Ｂ）は、ジョグメモリ４７内のデータ蓄積量の遷移例を示す図である。
【図８】データ記録再生装置１００におけるマイナス（逆）再生時の動作例を示すフローチャートである。
【図９】（Ａ）〜（Ｃ）は、従来例に係るマイナス（逆）再生時のＭＰＥＧストリームデータの作成例を示す図である。
【符号の説明】
【００８６】
１１・・・ＦＣ入出力基板、１２・・・記録再生制御基板、１３・・・ＦＣブロック、１４・・・バンクメモリ（データ記憶部）、１６・・・ＦＣサブＣＰＵ（制御装置）、１９・・・イーサネット（登録商標）、２３・・・メインＣＰＵ、３１〜３３・・・ＥＮＣ基板、３８・・・ＥＮＣサブＣＰＵ（制御装置）、３９・・・ミニバンクメモリ、４７・・・ジョグメモリ（データ記憶部）、４９・・・ＤＥＣサブＣＰＵ（制御装置）、７０・・・パックブロック、８０・・・ＦＭパソコン、９０・・・ＮｅｔＩＦパソコン、１００・・・ＡＶサーバー（映像記録再生装置）、２００・・・制御端末装置、１０１〜１０４・・・データ記録再生装置（情報記録再生装置）、３０１〜３０４・・・ＲＡＩＤ（データ記録装置）
【図１】
2006303652.tif 000003
【図２】
2006303652.tif 000004
【図３】
2006303652.tif 000005
【図４】
2006303652.tif 000006
【図５】
2006303652.tif 000007
【図６】
2006303652.tif 000008
【図７】
2006303652.tif 000009
【図８】
2006303652.tif 000010
【図９】
2006303652.tif 000011
【手続補正書】
【提出日】平成18年7月20日(2006.7.20)
【手続補正１】
【補正対象書類名】特許請求の範囲
【補正対象項目名】全文
【補正方法】変更
【補正の内容】
【特許請求の範囲】
【請求項１】
ＭＰＥＧストリームデータに関して、１グループのＢ−ピクチャ、Ｐ−ピクチャ及びＩ−ピクチャがＩ２，Ｂ０，Ｂ１，Ｐ５，Ｂ３，Ｂ４，Ｐ８，Ｂ６，Ｂ７，Ｐ１１，Ｂ９，Ｂ１０，Ｐ１４，Ｂ１２，Ｂ１３の構成順で記録されるデータ記憶装置と、
前記Ｂ−ピクチャ、Ｐ−ピクチャ及びＩ−ピクチャの構成順がＩ２，Ｐ５，Ｂ３，Ｂ４，Ｐ８，Ｂ６，Ｂ７，Ｐ１１，Ｂ９，Ｂ１０，Ｐ１４，Ｂ１２，Ｂ１３，Ｉ２，Ｂ０，Ｂ１となるように１グループ化してＭＰＥＧストリームデータを読み出すように前記データ記憶装置を制御する制御装置と、
前記制御装置によって読み出された前記１グループ化された前記ＭＰＥＧストリームデータに関して、前後のＰ−ピクチャ又はＩ−ピクチャからＢ−ピクチャを作成し、かつ、前のＰ−ピクチャ又はＩ−ピクチャからＰ−ピクチャを作成するようにデコードして、Ｂ−ピクチャ、Ｐ−ピクチャ及びＩ−ピクチャの構成順がＩ２，Ｂ３，Ｂ４，Ｐ５，Ｂ６，Ｂ７，Ｐ８，Ｂ９，Ｂ１０，Ｐ１１，Ｂ１２，Ｂ１３，Ｐ１４，Ｂ０，Ｂ１となる再生画をメモリに格納し、当該メモリからの読み出し順を制御する情報記録再生装置とを備えることを特徴とする情報記録再生システム。
【請求項２】
１グループの前記Ｂ−ピクチャ、Ｐ−ピクチャ及びＩ−ピクチャがＩ２，Ｂ０，Ｂ１，Ｐ５，Ｂ３，Ｂ４，Ｐ８，Ｂ６，Ｂ７，Ｐ１１，Ｂ９，Ｂ１０，Ｐ１４，Ｂ１２，Ｂ１３から構成されるＭＰＥＧストリームデータにおいて、
前記制御装置は、
当該グループのピクチャＢ０及びＢ１に代えて、次のグループのピクチャＢ０及びＢ１を当該グループの構成に加えることを特徴とする請求項１に記載の情報記録再生システム。
【請求項３】
前記情報記録再生装置は、
前記ＭＰＥＧストリームデータに関して、前後のＰ−ピクチャ又はＩ−ピクチャからＢ−ピクチャを作成し、かつ、前のＰ−ピクチャ又はＩ−ピクチャからＰ−ピクチャを作成する第１及び第２のデコーダを備え、
前記第２のデコーダは、
前記第１のデコーダによる当該グループの前記Ｂ０のピクチャのデコード後、前記Ｂ１のピクチャのデコードと同時に次のグループのＩ２のピクチャのデコードを開始することを特徴とする請求項１に記載の情報記録再生システム。
【請求項４】
ＭＰＥＧストリームデータに関して、１グループのＢ−ピクチャ、Ｐ−ピクチャ及びＩ−ピクチャがＩ２，Ｂ０，Ｂ１，Ｐ５，Ｂ３，Ｂ４，Ｐ８，Ｂ６，Ｂ７，Ｐ１１，Ｂ９，Ｂ１０，Ｐ１４，Ｂ１２，Ｂ１３の構成順で記録されるデータ記憶部と、
前記Ｂ−ピクチャ、Ｐ−ピクチャ及びＩ−ピクチャの構成順がＩ２，Ｐ５，Ｂ３，Ｂ４，Ｐ８，Ｂ６，Ｂ７，Ｐ１１，Ｂ９，Ｂ１０，Ｐ１４，Ｂ１２，Ｂ１３，Ｉ２，Ｂ０，Ｂ１となるように１グループ化してＭＰＥＧストリームデータを読み出すように前記データ記憶部を制御する制御部と、
前記制御部によって読み出された前記１グループ化された前記ＭＰＥＧストリームデータに関して、前後のＰ−ピクチャ又はＩ−ピクチャからＢ−ピクチャを作成し、かつ、前のＰ−ピクチャ又はＩ−ピクチャからＰ−ピクチャを作成するようにデコードして、Ｂ−ピクチャ、Ｐ−ピクチャ及びＩ−ピクチャの構成順がＩ２，Ｂ３，Ｂ４，Ｐ５，Ｂ６，Ｂ７，Ｐ８，Ｂ９，Ｂ１０，Ｐ１１，Ｂ１２，Ｂ１３，Ｐ１４，Ｂ０，Ｂ１となる再生画をメモリに格納し、当該メモリからの読み出し順を制御する情報記録再生部とを備えることを特徴とする情報記録再生装置。
【請求項５】
１グループの前記Ｂ−ピクチャ、Ｐ−ピクチャ及びＩ−ピクチャがＩ２，Ｂ０，Ｂ１，Ｐ５，Ｂ３，Ｂ４，Ｐ８，Ｂ６，Ｂ７，Ｐ１１，Ｂ９，Ｂ１０，Ｐ１４，Ｂ１２，Ｂ１３から構成されるＭＰＥＧストリームデータにおいて、
前記制御部は、
当該グループのピクチャＢ０及びＢ１に代えて、次のグループのピクチャＢ０及びＢ１を当該グループの構成に加えることを特徴とする請求項４に記載の情報記録再生装置。
【請求項６】
前記情報記録再生部は、
前記ＭＰＥＧストリームデータに関して、前後のＰ−ピクチャ又はＩ−ピクチャからＢ−ピクチャを作成し、かつ、前のＰ−ピクチャ又はＩ−ピクチャからＰ−ピクチャを作成する第１及び第２のデコーダを備え、
前記第２のデコーダは、
前記第１のデコーダによる当該グループの前記Ｂ０のピクチャのデコード後の前記Ｂ１のピクチャのデコード開始と同時に次のグループのＩ２のピクチャのデコードを開始することを特徴とする請求項４に記載の情報記録再生装置。
【請求項７】
前記第１及び第２のデコーダによってデコードされたデータを順次格納する前記メモリを備え、
前記メモリには閾値が設定され、
前記第１及び第２のデコーダにおけるデコード開始タイミングを前記閾値に基づいて決定されることを特徴とする請求項６に記載の情報記録再生装置
【請求項８】
１グループのＢ−ピクチャ、Ｐ−ピクチャ及びＩ−ピクチャがＩ２，Ｂ０，Ｂ１，Ｐ５，Ｂ３，Ｂ４，Ｐ８，Ｂ６，Ｂ７，Ｐ１１，Ｂ９，Ｂ１０，Ｐ１４，Ｂ１２，Ｂ１３の構成順で記録されるＭＰＥＧストリームデータに関して、Ｂ−ピクチャ、Ｐ−ピクチャ及びＩ−ピクチャの構成順がＩ２，Ｐ５，Ｂ３，Ｂ４，Ｐ８，Ｂ６，Ｂ７，Ｐ１１，Ｂ９，Ｂ１０，Ｐ１４，Ｂ１２，Ｂ１３，Ｉ２，Ｂ０，Ｂ１となるように１グループ化し、
１グループ化された前記ＭＰＥＧストリームデータに関して、前後のＰ−ピクチャ又はＩ−ピクチャからＢ−ピクチャを作成し、かつ、前のＰ−ピクチャ又はＩ−ピクチャからＰ−ピクチャを作成するようにデコードして、Ｂ−ピクチャ、Ｐ−ピクチャ及びＩ−ピクチャの構成順がＩ２，Ｂ３，Ｂ４，Ｐ５，Ｂ６，Ｂ７，Ｐ８，Ｂ９，Ｂ１０，Ｐ１１，Ｂ１２，Ｂ１３，Ｐ１４，Ｂ０，Ｂ１となる再生画をメモリに格納し、当該メモリからの読み出し順を制御することを特徴とする情報記録再生方法。
【請求項９】
１グループの前記Ｂ−ピクチャ、Ｐ−ピクチャ及びＩ−ピクチャがＩ２，Ｂ０，Ｂ１，Ｐ５，Ｂ３，Ｂ４，Ｐ８，Ｂ６，Ｂ７，Ｐ１１，Ｂ９，Ｂ１０，Ｐ１４，Ｂ１２，Ｂ１３から構成されるＭＰＥＧストリームデータにおいて、
当該グループのピクチャＢ０及びＢ１に代えて、次のグループのピクチャＢ０及びＢ１を当該グループの構成に加えることを特徴とする請求項８に記載の情報記録再生方法。
【請求項１０】
当該グループの前記Ｂ０のピクチャのデコード後、前記Ｂ１のピクチャのデコードと同時に次のグループのＩ２のピクチャのデコードを開始することを特徴とする請求項８に記載の情報記録再生方法。
【手続補正２】
【補正対象書類名】明細書
【補正対象項目名】０００６
【補正方法】変更
【補正の内容】
【０００６】
図９Ａ〜Ｃは、従来例に係る順方向再生モード時のＭＰＥＧストリームデータの作成例を示す図である。図９Ａに示すＥＮＣinは、データ記録モード時にエンコーダに入力するＭＰＥＧストリームデータである。このＭＰＥＧストリームデータは、Ｂ−ピクチャ、Ｐ−ピクチャ及びＩ−ピクチャに関して、Ｂ０〜Ｐ１４までの１５枚が１つのＧＯＰ（Group of Picture）となされる。Ｂ−ピクチャは、前後のＰ−ピクチャ又はＩ−ピクチャから作成される。Ｐ−ピクチャは、前のＰ−ピクチャ又はＩ−ピクチャから作成される。ピクチャＢ０とＢ１は、前のＧＯＰのＰ１４と現在のＧＯＰのＩ２から作成される。このようにエンコード処理されたＭＰＥＧストリームデータに付加情報が付加されてデータ記憶装置に格納される。
【手続補正３】
【補正対象書類名】明細書
【補正対象項目名】０００７
【補正方法】変更
【補正の内容】
【０００７】
データ再生時には、データ記憶装置からＭＰＥＧストリームデータが読み出され、付加情報が分離されて、ＭＰＥＧストリームデータからオーディオデータやビデオデータがデコードされる。図９Ｂに示すＤＥＣin（＝ＥＮＣout）は、データ再生モード時に、デコーダに入力するＭＰＥＧストリームデータである。このＭＰＥＧストリームデータは、Ｂ−ピクチャ、Ｐ−ピクチャ及びＩ−ピクチャに関し、１ＧＯＰ（旧）のＢ−ピクチャ、Ｐ−ピクチャ及びＩ−ピクチャがＩ２，Ｂ０，Ｂ１，Ｐ５，Ｂ３，Ｂ４，Ｐ８，Ｂ６，Ｂ７，Ｐ１１，Ｂ９，Ｂ１０，Ｐ１４，Ｂ１２，Ｂ１３までの１５枚が１つのＧＯＰとなされる。これをデコード処理すると、図９Ｃに示すＤＥＣoutが得られる。Ｂ−ピクチャは、前後のＰ−ピクチャ又はＩ−ピクチャから作成される。Ｐ−ピクチャは、前のＰ−ピクチャ又はＩ−ピクチャから作成される。図９Ｃに示すＤＥＣoutにおいて、ピクチャＢ０とＢ１は、前のＧＯＰのピクチャＰ１４と現在のＧＯＰのピクチャＩ２から作成される。
【手続補正４】
【補正対象書類名】明細書
【補正対象項目名】００１２
【補正方法】変更
【補正の内容】
【００１２】
上述した課題は、ＭＰＥＧストリームデータに関して、１グループのＢ−ピクチャ、Ｐ−ピクチャ及びＩ−ピクチャがＩ２，Ｂ０，Ｂ１，Ｐ５，Ｂ３，Ｂ４，Ｐ８，Ｂ６，Ｂ７，Ｐ１１，Ｂ９，Ｂ１０，Ｐ１４，Ｂ１２，Ｂ１３の構成順で記録されるデータ記憶装置と、Ｂ−ピクチャ、Ｐ−ピクチャ及びＩ−ピクチャの構成順がＩ２，Ｐ５，Ｂ３，Ｂ４，Ｐ８，Ｂ６，Ｂ７，Ｐ１１，Ｂ９，Ｂ１０，Ｐ１４，Ｂ１２，Ｂ１３，Ｉ２，Ｂ０，Ｂ１となるように１グループ化してＭＰＥＧストリームデータを読み出すようにデータ記憶装置を制御する制御装置と、この制御装置によって読み出された１グループ化されたＭＰＥＧストリームデータに関して、前後のＰ−ピクチャ又はＩ−ピクチャからＢ−ピクチャを作成し、かつ、前のＰ−ピクチャ又はＩ−ピクチャからＰ−ピクチャを作成するようにデコードして、Ｂ−ピクチャ、Ｐ−ピクチャ及びＩ−ピクチャの構成順がＩ２，Ｂ３，Ｂ４，Ｐ５，Ｂ６，Ｂ７，Ｐ８，Ｂ９，Ｂ１０，Ｐ１１，Ｂ１２，Ｂ１３，Ｐ１４，Ｂ０，Ｂ１となる再生画をメモリに格納し、当該メモリからの読み出し順を制御する情報記録再生装置とを備えることを特徴とする情報記録再生システムによって解決される。
【手続補正５】
【補正対象書類名】明細書
【補正対象項目名】００１４
【補正方法】変更
【補正の内容】
【００１４】
例えば、第２のデコーダでは、第１のデコーダによる当該グループのＢ０のピクチャのデコード後、Ｂ１のピクチャのデコードと同時に次のグループのＩ２のピクチャのデコードを開始する。そして、Ｂ−ピクチャ、Ｐ−ピクチャ及びＩ−ピクチャの構成順がＩ２，Ｂ３，Ｂ４，Ｐ５，Ｂ６，Ｂ７，Ｐ８，Ｂ９，Ｂ１０，Ｐ１１，Ｂ１２，Ｂ１３，Ｐ１４，Ｂ０，Ｂ１となる再生画をメモリに格納するようになる。
【手続補正６】
【補正対象書類名】明細書
【補正対象項目名】００１５
【補正方法】変更
【補正の内容】
【００１５】
従って、ほぼ１グループのＭＰＥＧストリームデータから連続性を有した逆再生用の画像を高速に作成し、メモリに格納することができる。これにより、ＭＰＥＧ  Ｌｏｎｇ  ＧＯＰにおいて、−方向の１倍速再生と応答性の向上が、メモリからの読み出し順を制御することで実現できるようになる。
【手続補正７】
【補正対象書類名】明細書
【補正対象項目名】００１６
【補正方法】変更
【補正の内容】
【００１６】
本発明に係る情報記録再生装置は、ＭＰＥＧストリームデータに関して、１グループのＢ−ピクチャ、Ｐ−ピクチャ及びＩ−ピクチャがＩ２，Ｂ０，Ｂ１，Ｐ５，Ｂ３，Ｂ４，Ｐ８，Ｂ６，Ｂ７，Ｐ１１，Ｂ９，Ｂ１０，Ｐ１４，Ｂ１２，Ｂ１３の構成順で記録されるデータ記憶部と、Ｂ−ピクチャ、Ｐ−ピクチャ及びＩ−ピクチャの構成順がＩ２，Ｐ５，Ｂ３，Ｂ４，Ｐ８，Ｂ６，Ｂ７，Ｐ１１，Ｂ９，Ｂ１０，Ｐ１４，Ｂ１２，Ｂ１３，Ｉ２，Ｂ０，Ｂ１となるように１グループ化してＭＰＥＧストリームデータを読み出すようにデータ記憶部を制御する制御部と、この制御部によって読み出された１グループ化されたＭＰＥＧストリームデータに関して、前後のＰ−ピクチャ又はＩ−ピクチャからＢ−ピクチャを作成し、かつ、前のＰ−ピクチャ又はＩ−ピクチャからＰ−ピクチャを作成するようにデコードして、Ｂ−ピクチャ、Ｐ−ピクチャ及びＩ−ピクチャの構成順がＩ２，Ｂ３，Ｂ４，Ｐ５，Ｂ６，Ｂ７，Ｐ８，Ｂ９，Ｂ１０，Ｐ１１，Ｂ１２，Ｂ１３，Ｐ１４，Ｂ０，Ｂ１となる再生画をメモリに格納し、メモリからの読み出し順を制御する情報記録再生部とを備えることを特徴とするものである。
【手続補正８】
【補正対象書類名】明細書
【補正対象項目名】００１７
【補正方法】変更
【補正の内容】
【００１７】
本発明に係る情報記録再生装置によれば、ＭＰＥＧストリームデータに関して、データ記憶部には、１グループのＢ−ピクチャ、Ｐ−ピクチャ及びＩ−ピクチャがＩ２，Ｂ０，Ｂ１，Ｐ５，Ｂ３，Ｂ４，Ｐ８，Ｂ６，Ｂ７，Ｐ１１，Ｂ９，Ｂ１０，Ｐ１４，Ｂ１２，Ｂ１３の構成順で記録される。これを前提にして、制御部は、Ｂ−ピクチャ、Ｐ−ピクチャ及びＩ−ピクチャの構成順がＩ２，Ｐ５，Ｂ３，Ｂ４，Ｐ８，Ｂ６，Ｂ７，Ｐ１１，Ｂ９，Ｂ１０，Ｐ１４，Ｂ１２，Ｂ１３，Ｉ２，Ｂ０，Ｂ１となるように１グループ化してＭＰＥＧストリームデータを読み出すようにデータ記憶部を制御する。情報記録再生部は、制御部によって読み出された１グループ化されたＭＰＥＧストリームデータに関して、前後のＰ−ピクチャ又はＩ−ピクチャからＢ−ピクチャを作成し、かつ、前のＰ−ピクチャ又はＩ−ピクチャからＰ−ピクチャを作成するようにデコードして、Ｂ−ピクチャ、Ｐ−ピクチャ及びＩ−ピクチャの構成順がＩ２，Ｂ３，Ｂ４，Ｐ５，Ｂ６，Ｂ７，Ｐ８，Ｂ９，Ｂ１０，Ｐ１１，Ｂ１２，Ｂ１３，Ｐ１４，Ｂ０，Ｂ１となる再生画をメモリに格納するようになる。
【手続補正９】
【補正対象書類名】明細書
【補正対象項目名】００１８
【補正方法】変更
【補正の内容】
【００１８】
従って、ほぼ１グループのＭＰＥＧストリームデータから連続性を有した逆再生用の画像を高速に作成し、メモリに格納することができる。これにより、ＭＰＥＧ  Ｌｏｎｇ  ＧＯＰにおいて、−方向の１倍速再生と応答性の向上が、メモリからの読み出し順を制御することで実現できるようになる。
【手続補正１０】
【補正対象書類名】明細書
【補正対象項目名】００１９
【補正方法】変更
【補正の内容】
【００１９】
本発明に係る情報記録再生方法は、１グループのＢ−ピクチャ、Ｐ−ピクチャ及びＩ−ピクチャがＩ２，Ｂ０，Ｂ１，Ｐ５，Ｂ３，Ｂ４，Ｐ８，Ｂ６，Ｂ７，Ｐ１１，Ｂ９，Ｂ１０，Ｐ１４，Ｂ１２，Ｂ１３の構成順で記録されるＭＰＥＧストリームデータに関して、Ｂ−ピクチャ、Ｐ−ピクチャ及びＩ−ピクチャの構成順がＩ２，Ｐ５，Ｂ３，Ｂ４，Ｐ８，Ｂ６，Ｂ７，Ｐ１１，Ｂ９，Ｂ１０，Ｐ１４，Ｂ１２，Ｂ１３，Ｉ２，Ｂ０，Ｂ１となるように１グループ化し、ここで１グループ化されたＭＰＥＧストリームデータに関して、前後のＰ−ピクチャ又はＩ−ピクチャからＢ−ピクチャを作成し、かつ、前のＰ−ピクチャ又はＩ−ピクチャからＰ−ピクチャを作成するようにデコードして、Ｂ−ピクチャ、Ｐ−ピクチャ及びＩ−ピクチャの構成順がＩ２，Ｂ３，Ｂ４，Ｐ５，Ｂ６，Ｂ７，Ｐ８，Ｂ９，Ｂ１０，Ｐ１１，Ｂ１２，Ｂ１３，Ｐ１４，Ｂ０，Ｂ１となる再生画をメモリに格納し、メモリからの読み出し順を制御することを特徴とするものである。
【手続補正１１】
【補正対象書類名】明細書
【補正対象項目名】００２０
【補正方法】変更
【補正の内容】
【００２０】
情報記録再生方法によれば、逆再生画を作成する場合に、ほぼ１グループのＭＰＥＧストリームデータから連続性を有した逆再生用の画像を高速に作成し、メモリに格納することができる。これにより、メモリの読み出し制御をすることにより、ＭＰＥＧロングＧＯＰにおいて、−方向の１倍速再生と応答性の向上を実現できるようになる。
【手続補正１２】
【補正対象書類名】明細書
【補正対象項目名】００２１
【補正方法】変更
【補正の内容】
【００２１】
本発明に係る情報記録再生システムによれば、１グループのＢ，Ｐ，Ｉ−ピクチャがＩ２，Ｂ０，Ｂ１，Ｐ５，Ｂ３，Ｂ４，Ｐ８，Ｂ６，Ｂ７，Ｐ１１，Ｂ９，Ｂ１０，Ｐ１４，Ｂ１２，Ｂ１３の構成順で記録されるデータ記憶装置を制御する制御装置によって読み出された、Ｂ，Ｐ，Ｉ−ピクチャの構成順がＩ２，Ｐ５，Ｂ３，Ｂ４，Ｐ８，Ｂ６，Ｂ７，Ｐ１１，Ｂ９，Ｂ１０，Ｐ１４，Ｂ１２，Ｂ１３，Ｉ２，Ｂ０，Ｂ１となるように１グループ化されたＭＰＥＧストリームデータをデコードする情報記録再生装置を備え、情報記録再生装置は、Ｂ，Ｐ，Ｉ−ピクチャの構成順がＩ２，Ｂ３，Ｂ４，Ｐ５，Ｂ６，Ｂ７，Ｐ８，Ｂ９，Ｂ１０，Ｐ１１，Ｂ１２，Ｂ１３，Ｐ１４，Ｂ０，Ｂ１となる再生画をメモリに格納するように制御されるものである。
【手続補正１３】
【補正対象書類名】明細書
【補正対象項目名】００２２
【補正方法】変更
【補正の内容】
【００２２】
この構成によって、ほぼ１グループのＭＰＥＧストリームデータから連続性を有した逆再生用の画像を高速に作成し、メモリに格納することができる。従って、メモリの読み出し制御をすることにより、ＭＰＥＧロングＧＯＰにおいて、−方向の１倍速再生と応答性の向上を実現できるようになる。しかも、可変速再生において、再生方向が＋方向から−方向へ切り替えられた場合、またその逆でも、メモリに格納された画像を使い、画像を途切れさせることなく（スキップすることなく）、円滑な逆再生画を出力することができる。
【手続補正１４】
【補正対象書類名】明細書
【補正対象項目名】００２３
【補正方法】変更
【補正の内容】
【００２３】
本発明に係る情報記録再生装置及び情報記録再生方法によれば、１グループのＢ，Ｐ，Ｉ−ピクチャがＩ２，Ｂ０，Ｂ１，Ｐ５，Ｂ３，Ｂ４，Ｐ８，Ｂ６，Ｂ７，Ｐ１１，Ｂ９，Ｂ１０，Ｐ１４，Ｂ１２，Ｂ１３の構成順で記録されるデータ記憶部を制御する制御部によって読み出された、Ｂ，Ｐ，Ｉ−ピクチャの構成順がＩ２，Ｐ５，Ｂ３，Ｂ４，Ｐ８，Ｂ６，Ｂ７，Ｐ１１，Ｂ９，Ｂ１０，Ｐ１４，Ｂ１２，Ｂ１３，Ｉ２，Ｂ０，Ｂ１となるように１グループ化されたＭＰＥＧストリームデータをデコードする情報記録再生部を備え、情報記録再生部は、Ｂ，Ｐ，Ｉ−ピクチャの構成順がＩ２，Ｂ３，Ｂ４，Ｐ５，Ｂ６，Ｂ７，Ｐ８，Ｂ９，Ｂ１０，Ｐ１１，Ｂ１２，Ｂ１３，Ｐ１４，Ｂ０，Ｂ１となる再生画をメモリに格納し、メモリからの読み出し順を制御されるものである。
【手続補正１５】
【補正対象書類名】明細書
【補正対象項目名】００２４
【補正方法】変更
【補正の内容】
【００２４】
この構成によって、ほぼ１グループのＭＰＥＧストリームデータから連続性を有した逆再生用の画像を高速に作成し、メモリに格納することができる。従って、メモリの読み出し制御をすることにより、ＭＰＥＧロングＧＯＰにおいて、−方向の１倍速再生と応答性の向上を実現できるようになる。しかも、可変速再生において、再生方向が＋方向から−方向へ切り替えられた場合またその逆でも、メモリに格納された画像を使い、画像を途切れさせることなく、円滑な逆再生画を出力することができる。
【手続補正１６】
【補正対象書類名】明細書
【補正対象項目名】００２６
【補正方法】変更
【補正の内容】
【００２６】
図１は本発明に係る第１の実施例としてのＡＶサーバーシステム１の構成例を示すブロック図である。
図１に示すＡＶサーバーシステム１は情報記録再生システムの一例を構成し、放送局や映像及び音（音声及び音楽を含む）情報配信所において、オーディオ・ビデオ・ストリームデータ（ＡＶストリームデータ）をデータ記憶装置に書込み記録し、又は／及びＡＶストリームデータをそのデータ記憶装置から読み出して再生するものである。
【手続補正１７】
【補正対象書類名】明細書
【補正対象項目名】００２８
【補正方法】変更
【補正の内容】
【００２８】
また、ＡＶサーバー１００は、データ再生時、制御端末装置２００の再生制御を受けて、先に記録保持されている所定のデータフォーマットのストリームデータを読み出す。ここに読み出された所定のデータフォーマットのストリームデータはデコード処理される。デコード処理後、ジョグメモリに格納し、ジョグメモリからの読み出し順を制御してデータが出力（ＡＶ出力）される。ジョグメモリはメモリの一例を構成し、デパック・デコード処理後のデータをフレーム単位に蓄積するものである。なお、ＡＶサーバー１００は、ＨＵＢ４００を介してネットワーク５００に接続され、当該ネットワーク５００から、所定のデータフォーマットのＡＶストリームデータを入出力するように構成されている。これは、ネットワーク５００からのアクセス性を優先して、可能な限りＭＸＦファイルフォーマットやＡＶＩフォーマット等のファイルフォーマットデータをそのまま当該ＡＶサーバー１００で記録管理できるようにするためである。
【手続補正１８】
【補正対象書類名】明細書
【補正対象項目名】００２９
【補正方法】変更
【補正の内容】
【００２９】
図２は、ＡＶサーバー１００の内部構成例を示すブロック図である。図２に示すＡＶサーバー１００は、例えば、１台のファイルシステム（ファイルマネージャ）用のパーソナルコンピュータ（以下ＦＭパソコン８０という）、ネットワークインターフェース用のパソコン（以下ＮｅｔＩＦパソコン９０という）、４台のデータ記録再生装置１０１〜１０４と、４台のデータ記憶装置（以下ＲＡＩＤという）３０１〜３０４及び１台のファイバチャネルスイッチ６０２とを有して構成される。
【手続補正１９】
【補正対象書類名】明細書
【補正対象項目名】００３２
【補正方法】変更
【補正の内容】
【００３２】
また、各々のデータ記録再生装置１０１〜１０４は、光通信線（ファイバチャネル）を介してファイバチャネルスイッチ６０２が接続され、データの書込み読出し動作の高速化がなされている。ファイバチャネルスイッチ６０２には４台のＲＡＩＤ３０１〜３０４が接続される。ＲＡＩＤ３０１〜３０４には、磁気ディスクや光磁気ディスク等の記録媒体等が使用される。
【手続補正２０】
【補正対象書類名】明細書
【補正対象項目名】００３３
【補正方法】変更
【補正の内容】
【００３３】
データ記録再生装置１０１は、データ記録時、制御端末装置２００の記録制御を受けて、映像及び音素材情報（ＳＤＩデータ；ＡＶ入力）を入力して所定の圧縮規格（ＭＰＥＧ等）により、ＳＤＩデータを符号化し圧縮処理（エンコード処理）する。ＳＤＩデータは、放送局や映像及び音声情報配信所で作成または編集されたＮＴＳＣ方式やＰＡＬ方式の映像及び音素材情報である。ＳＤＩデータを圧縮処理した後のＡＶデータには、付加情報が付加されて所定のデータフォーマットのＡＶストリームデータとなされる。ＡＶストリームデータは、ファイバチャネルスイッチ６０２を介してＲＡＩＤ３０１、３０２、３０３又は３０４に記録される。
【手続補正２１】
【補正対象書類名】明細書
【補正対象項目名】００３６
【補正方法】変更
【補正の内容】
【００３６】
記録再生制御基板１２は、ＣＰＵインターフェース（以下ＣＰＵＩ／Ｆ回路２１という）及びＣＰＵブロック２２を有して構成される。ＣＰＵブロック２２はメインＣＰＵ２３を有している。ＣＰＵ２３は、ＦＣ入出力基板１１に実装された回路やメモリを制御する。例えば、ＣＰＵ２３は、ＲＡＩＤ３０１上の書き込み領域の情報をＦＭパソコン８０から取得して、ＦＣ入出力基板１１に実装されたバンクメモリ１４上で、予め確保したアドレスエリアにＡＶストリームデータが満たされた時点で、ＲＡＩＤ３０１へＡＶストリームデータを記録するようになされる。記録再生制御基板１２の図示しないＩ／Ｏポートには、ＡＶシリアルバックプレーン５３が接続される。ＡＶシリアルバックプレーン５３には、ＦＣ入出力基板１１が接続される。
【手続補正２２】
【補正対象書類名】明細書
【補正対象項目名】００３７
【補正方法】変更
【補正の内容】
【００３７】
ＦＣ入出力基板１１は、記録再生部を構成し、ファイバチャネルインターフェース回路（以下ＦＣブロック１３という）、バンクメモリ１４、エンコーダ・デコーダインターフェース回路（以下バックプレーンブロック１５という）及びＦＣサブＣＰＵ１６を有している。ＦＣブロック１３はフィールドプログラマブルゲートアレイ（ＦＰＧＡ）から構成され、光信号処理機能を有している。例えば、ＦＣブロック１３には、ファイバチャネルスイッチ６０２が接続され、ＡＶストリームデータによって変調される光信号が伝送される。
【手続補正２３】
【補正対象書類名】明細書
【補正対象項目名】００３９
【補正方法】変更
【補正の内容】
【００３９】
ＡＶストリームデータは、この情報が示すアドレスエリアに転送される。これにより、バンクメモリ１４でＡＶストリームデータのバッファリング処理をすることができる。バンクメモリ１４にはハードディスク等が使用される。バンクメモリ１４にはバックプレーンブロック１５が接続される。バックプレーンブロック１５には、ＡＶシリアルバックプレーン５３が接続され、ＥＮＣ基板３１〜３３やＤＥＣ基板４１〜４３等のＩ／ＯポートとのＡＶストリームデータの送受信処理を実行する。
【手続補正２４】
【補正対象書類名】明細書
【補正対象項目名】００４０
【補正方法】変更
【補正の内容】
【００４０】
ＦＣ入出力基板１１には、ＦＰＧＡから構成されるローカルで、メインＣＰＵ２３に対して補助的なＣＰＵ（Ｎｉｏｓ；以下でＦＣサブＣＰＵ１６という：図中でＦＣＣＰＵと記す）が構築され、データ記録時、複数のＥＮＣ基板３１〜３３から送信されてくるＡＶストリームデータの転送先を調停する。ＦＣサブＣＰＵ１６は、メインＣＰＵ２３からの制御命令に基づいてバンクメモリ１４へのストリームデータの読み書きを制御したり、ファイバチャネルスイッチ６０２を通じてＲＡＩＤ３０１等へのアクセス制御を実行する。例えば、ＦＣサブＣＰＵ１６は、ＲＡＩＤ３０１において、ＡＶストリームデータを書込む領域に関する情報をメインＣＰＵ２３から受け付け、この情報に基づいて、ＦＣブロック１３を制御してバンクメモリ１４上のＡＶストリームデータをＲＡＩＤ３０１へと書き込むようになされる。
【手続補正２５】
【補正対象書類名】明細書
【補正対象項目名】００４１
【補正方法】変更
【補正の内容】
【００４１】
ＡＶシリアルバックプレーン５３には、ＥＮＣ基板３１〜３３及びＤＥＣ基板４１〜４３が接続される。１つのＥＮＣ基板３１には、ＳＤＩ入力ブロック３４、ＭＰＥＧエンコーダ３５、オーディオブロック３６、ＥＮＣサブＣＰＵ３８（図中でＥＮＣＣＰＵと記す）、ミニバンクメモリ３９及びパックブロック７０を有して構成される。
【手続補正２６】
【補正対象書類名】明細書
【補正対象項目名】００４２
【補正方法】変更
【補正の内容】
【００４２】
ＥＮＣ基板３１では、データ記録時、ＮＴＳＣ方式やＰＡＬ方式のオーディオ・ビデオ信号ＳＤＩを入力し、ＭＰＥＧ等の信号圧縮規格に基づいてＳＤＩ入力を符号化し圧縮処理（エンコード処理）する。圧縮後のオーディオ・ビデオデータは、付加情報が付加されてＡＶストリームデータとなる。ＥＮＣ基板３１は、１フレームのＡＶストリームデータがバンクメモリ１４に記憶される毎に、メインＣＰＵ２３の制御に基づいて、随時、ＦＣ入出力基板１１に対してＡＶストリームデータを送信する。このとき、制御端末装置２００からの制御信号が入力される。制御端末装置２００とＥＮＣ基板３１等との接続にはＲＳ−４２２Ａの通信プロトコルに基づく通信ケーブルが使用される。
【手続補正２７】
【補正対象書類名】明細書
【補正対象項目名】００４９
【補正方法】変更
【補正の内容】
【００４９】
なお、ＤＥＣ基板４１には制御端末装置２００からの制御信号が入力される。制御端末装置２００とＤＥＣ基板４１等とはＲＳ−４２２Ａの通信プロトコルに基づく通信ケーブルが使用される。他のＤＥＣ基板４２、４３でも、同様にして、ＡＶストリームデータを入力してＳＤＩデータを出力するように処理される。他のＤＥＣ基板４２、４３についても同様な構成及び機能を有しているがその説明は省略する。
【手続補正２８】
【補正対象書類名】明細書
【補正対象項目名】００５０
【補正方法】変更
【補正の内容】
【００５０】
上述のＡＶシリアルバックプレーン５３内には、ＣＰＵバス２９が設けられる。ＣＰＵバス２９には、ＦＣサブＣＰＵ１６、メインＣＰＵ２３、各基板３１〜３３のＥＮＣサブＣＰＵ３８、各基板４１〜４３のＤＥＣサブＣＰＵ４９及びＲＥＦ入力基板５０が接続される。ＲＥＦ入力基板５０は、ＴＧ（Timming Generator）ブロック５１及びＬＴＳサブＣＰＵ５２（図中ＬＴＳＣＰＵと記す）を有して構成される。ＴＧブロック５１には、ＲＥＦ信号（フレーム同期信号）が入力され、ＬＴＳサブＣＰＵ５２の制御を受けて、各基板１１，１２，３１〜３３、４１〜４３等にＲＥＦ信号を供給するようになされる。ＬＴＳサブＣＰＵ５２は、イーサネット（登録商標）１９を通じてＦＭパソコン８０やＮｅｔＩＦパソコン９０、また、ＣＰＵバス２９に接続され、これらのパソコン８０，９０やメインＣＰＵ２３等と通信処理をするようになされる。他のデータ記録再生装置１０２〜１０４も同様な構成を採るが、その説明は省略する。
【手続補正２９】
【補正対象書類名】明細書
【補正対象項目名】００５６
【補正方法】変更
【補正の内容】
【００５６】
ファイルボディ部は、ゼネリックコンテナ（ＧＣ：Generic Container）又はエッセンスコンテナ（Essence Container）で構成され、ＧＣコンテナには、パーテーションパック（ＰＰ）、インデックステーブル（Index Table）やエディットユニット（Edit Unite）等が配置される。エディットユニットはフレーム単位に第１〜第１０フレームが配置される。ファイルフッタ部には、フッタパーティションパック及びランダムインデックスパックが配置される。
【手続補正３０】
【補正対象書類名】明細書
【補正対象項目名】００５９
【補正方法】変更
【補正の内容】
【００５９】
ファイルフッタ部は、フッタパーティションパック（Footer partition pack）で構成され、フッタパーティションパックには、ファイルフッタ部を特定するためのデータなどが配置される。以上のように構成されたＭＸＦファイルが与えられた場合、ＭＸＦの規格に準拠したＡＶサーバー１００は、まず、ヘッダパーティションパックの１１バイトのパターンを読み出すことにより、ＭＸＦヘッダを求める。そして、ＭＸＦヘッダのヘッダメタデータに基づいて、ＧＣコンテナに配置されたＡＶデータを読み出すことができる。
【手続補正３１】
【補正対象書類名】明細書
【補正対象項目名】００６３
【補正方法】変更
【補正の内容】
【００６３】
つまり、新たなグループ化をするためにメインＣＰＵ２３は、当該グループのＢ−ピクチャに関して、Ｂ０，Ｂ１を除き、他のＢ−ピクチャ、Ｐ−ピクチャ及びＩ−ピクチャに関してＩ２，Ｐ５，Ｂ３，Ｂ４，Ｐ８，Ｂ６，Ｂ７，Ｐ１１，Ｂ９，Ｂ１０，Ｐ１４，Ｂ１２，Ｂ１３の構成順でバンクメモリ１４からＤＥＣ基板４１へ入力し、かつ、時間的に次のグループのピクチャＩ２，Ｂ０，Ｂ１を入力するようにＤＥＣサブＣＰＵ４９を制御する。
【手続補正３２】
【補正対象書類名】明細書
【補正対象項目名】００６４
【補正方法】変更
【補正の内容】
【００６４】
このＤＥＣサブＣＰＵ４９によって読み出された１グループ化されたＭＰＥＧストリームデータに関して、ＤＥＣ基板４１は、前後のＰ−ピクチャ又はＩ−ピクチャからＢ−ピクチャを作成し、かつ、前のＰ−ピクチャ又はＩ−ピクチャからＰ−ピクチャを作成するようにデコードする。そして、ＤＥＣ基板４１は、図５Ｂに示すようなデコーダ出力ＤＥＣoutとして、Ｂ−ピクチャ、Ｐ−ピクチャ及びＩ−ピクチャの構成順がＩ２，Ｂ３，Ｂ４，Ｐ５，Ｂ６，Ｂ７，Ｐ８，Ｂ９，Ｂ１０，Ｐ１１，Ｂ１２，Ｂ１３，Ｐ１４，Ｂ０，Ｂ１となる再生画をジョグメモリ４７に格納するようになる。このように、次のＧＯＰのピクチャＢ０とＢ１について、現在のＧＯＰを使用することにより、約１ＧＯＰ分のデータだけＧＯＰの画を作成できるようになる。
【手続補正３３】
【補正対象書類名】明細書
【補正対象項目名】００６８
【補正方法】変更
【補正の内容】
【００６８】
図７Ａ及びＢは、ジョグメモリ４７内のデータ蓄積量の遷移例を示す図である。図７Ａ及びＢにおいて、ジョグメモリ４７には閾値Ｖthが設定される。図中、縦の黒バー８ｖは、ＡＶデータの減り具合を示すカーソルである。この例で、マイナス方向再生に対して、黒バー８ｖは、右側から左側に移動して行く。図７Ａは、例えば、時刻ｔ１におけるジョグメモリ４７のデータ蓄積状態を示している。図７Ａでは、閾値Ｖthに対して黒バー８ｖが右側に存在するので、２つ目のデコーダは動作を停止してよい。
【手続補正３４】
【補正対象書類名】明細書
【補正対象項目名】００６９
【補正方法】変更
【補正の内容】
【００６９】
時間が経過して、時刻ｔ２になって、図７Ｂに示すように閾値Ｖth以下に黒バー８ｖが移動したときに、例えば、ＤＥＣ基板４１がデコード処理中であっても、次のＧＯＰのＭＰＥＧストリームデータＩ２，Ｐ５，Ｂ３，Ｂ４，Ｐ８，Ｂ６，Ｂ７，Ｐ１１，Ｂ９，Ｂ１０，Ｐ１４，Ｂ１２，Ｂ１３，Ｉ２，Ｂ０，Ｂ１をバンクメモリ１４からＤＥＣ基板４２に転送してデコード処理を開始するようになされる。これは映像や音の連続性、応答性及び円滑性を良くするためである。
【手続補正３５】
【補正対象書類名】明細書
【補正対象項目名】００７０
【補正方法】変更
【補正の内容】
【００７０】
続いて、本発明に係る情報記録再生方法について説明をする。図８は、データ記録再生装置１０１におけるマイナス（逆）再生時の動作例を示すフローチャートである。
【手続補正３６】
【補正対象書類名】明細書
【補正対象項目名】００７４
【補正方法】変更
【補正の内容】
【００７４】
その後、ステップＡ４またはステップＡ１０に移行する。ステップＡ４〜９はＤＥＣ基板４１の第１のデコーダ（以下ＤＥＣ＃１ともいう）における動作である。ステップＡ１０〜１５はＤＥＣ基板４１の第２のデコーダ（以下ＤＥＣ＃２ともいう）における動作である。基本的に交互に動作するようになるが、一部同時に動作する時間帯がある。
【手続補正３７】
【補正対象書類名】明細書
【補正対象項目名】００７７
【補正方法】変更
【補正の内容】
【００７７】
一方、これに並行して、ジョグメモリ４７では、ステップＡ８でデータ蓄積量が監視される。データ蓄積量が閾値以下になった場合に、ステップＡ９に移行してＤＥＣ基板４１の第２のデコーダを起動するトリガ（ＤＥＣ＃２起動命令）がＤＥＣ基板４２へ出力される。なお、１ＧＯＰのデコード処理を終了した時点で、ＤＥＣ基板４１の第１のデコーダはデコード処理を休止して次のＤＥＣ＃１起動命令を待機する。
【手続補正３８】
【補正対象書類名】明細書
【補正対象項目名】００８５
【補正方法】変更
【補正の内容】
【００８５】
【図１】本発明に係る実施例としてのＡＶサーバーシステム１の構成例を示すブロック図である。
【図２】ＡＶサーバー１００の内部構成例を示すブロック図である。
【図３】データ記録再生装置１０１の内部構成例を示すブロック図である。
【図４】ＭＸＦファイルのデータ構造例を示すフォーマットである。
【図５】（Ａ）及び（Ｂ）は、マイナス再生時のＭＰＥＧストリームデータのグルーピング例を示す図である。
【図６】（Ａ）〜（Ｅ）は、ＤＥＣ基板４１，４２におけるデコード開始タイミング例を示す図である。
【図７】（Ａ）及び（Ｂ）は、ジョグメモリ４７内のデータ蓄積量の遷移例を示す図である。
【図８】データ記録再生装置１００におけるマイナス（逆）再生時の動作例を示すフローチャートである。
【図９】（Ａ）〜（Ｃ）は、従来例に係るマイナス（逆）再生時のＭＰＥＧストリームデータの作成例を示す図である。
【手続補正３９】
【補正対象書類名】図面
【補正対象項目名】図３
【補正方法】変更
【補正の内容】
【図３】
2006303652.tif 000012
【手続補正４０】
【補正対象書類名】図面
【補正対象項目名】図４
【補正方法】変更
【補正の内容】
【図４】
2006303652.tif 000013
【手続補正４１】
【補正対象書類名】図面
【補正対象項目名】図５
【補正方法】変更
【補正の内容】
【図５】
2006303652.tif 000014
【手続補正４２】
【補正対象書類名】図面
【補正対象項目名】図６
【補正方法】変更
【補正の内容】
【図６】
2006303652.tif 000015
【手続補正４３】
【補正対象書類名】図面
【補正対象項目名】図７
【補正方法】変更
【補正の内容】
【図７】
2006303652.tif 000016
【手続補正４４】
【補正対象書類名】図面
【補正対象項目名】図９
【補正方法】変更
【補正の内容】
【図９】
2006303652.tif 000017